(57)【要約】    【課題】循環手段内の封入球の球詰まりを低減できる弾球遊技機を提供する。    【解決手段】遊技盤２から排出された遊技球を発射手段５３に案内可能な循環経路を構成する循環手段５４と、この循環手段５４の循環経路内壁面または当該循環手段５４内の遊技球表面の結露を低減する結露低減手段としての送風手段１６０とを備える。【選択図】図２６
2013106766.tif 000002
【特許請求の範囲】
【請求項１】
遊技球が流下する遊技領域を有する遊技盤と、前記遊技領域に向けて遊技球を発射する発射手段とを備えた弾球遊技機において、前記遊技盤から排出された遊技球を前記発射手段に案内可能な循環経路を構成する循環手段と、前記循環手段の循環経路内壁面または当該循環手段内の遊技球表面の結露を低減する結露低減手段とを備えたことを特徴とする弾球遊技機。
【請求項２】
前記結露低減手段は、前記循環手段の循環経路内壁面または当該循環手段内の遊技球表面とその周囲気体との温度差を低減する温度差低減手段であることを特徴とする請求項１に記載の弾球遊技機。
【請求項３】
前記結露低減手段は、前記循環手段内の気体の水蒸気量を低減する水蒸気量低減手段であることを特徴とする請求項１に記載の弾球遊技機。
【請求項４】
前記結露低減手段は、前記循環手段内の遊技球表面を拭く拭き取り手段又は当該循環手段内の遊技球表面に気体を吹き当てる若しくは遊技球表面の水滴を吸引する手段を備えたことを特徴とする請求項１に記載の弾球遊技機。
【請求項５】
前記温度差低減手段は、前記循環手段の循環経路内部に気体を送風する送風手段、前記循環手段に形成され且つ当該循環手段の外部と循環経路内部とを連通する連通部、前記循環手段に設けられた断熱部、又は、前記循環手段若しくは当該循環手段内の遊技球を加温する加温手段のうち少なくとも一つを備えたものであることを特徴とする請求項２に記載の弾球遊技機。
【請求項６】
前記水蒸気量低減手段は、前記循環手段の循環経路内に乾燥気体を送風する乾燥気体送風手段、又は、前記循環手段の循環経路内の気体を乾燥させる乾燥手段のうち少なくとも一つを備えたものであることを特徴とする請求項３に記載の弾球遊技機。
【請求項７】
前記循環手段内の気温及び相対湿度を検出する気温・相対湿度検出手段と、気温と相対湿度による空気の露点温度を記憶する記憶手段と、前記循環手段の循環経路の内壁面温度又は当該循環手段内の遊技球表面温度を検出する表面温度検出手段と、前記気温・相対湿度検出手段で検出された気温及び相対湿度に基づいて露点温度を求め、前記表面温度検出手段で検出された表面温度が露点温度又は当該露点温度よりも高い所定温度に達した場合に、前記送風手段、前記加温手段又は前記乾燥気体送風手段を動作させる制御手段を備えたことを特徴とする請求項５又は６の何れかに記載の弾球遊技機。
【請求項８】
前記循環手段の循環経路の内壁面温度又は当該循環手段内の遊技球表面温度を検出する表面温度検出手段と、前記表面温度検出手段で検出された表面温度が規定値以下の場合に、前記発射手段の動作を停止させる制御手段を備えたことを特徴とする請求項１から７の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
アレンジボール機等の循環封入式の弾球遊技機には、遊技機本体を構成する外枠と前枠との内、その前枠に遊技盤と、遊技盤の遊技領域へと遊技球を発射する発射手段と、遊技盤を通過した遊技球を発射手段に循環する循環手段とを装着し、遊技盤の遊技領域を視認可能なガラス扉を前枠に開閉自在に装着したものがある（特許文献１）。
【０００３】
外枠は前面側が開口する筐体により構成されており、この筐体の左右方向の一側にヒンジを介して縦軸廻りに開閉自在に前枠が装着されている。前枠は遊技盤装着枠と支持板とを上下に備え、その遊技盤装着枠に遊技盤が裏側から着脱自在に装着され、また支持板の前面に発射手段が、裏面に循環手段が夫々装着されている。
【先行技術文献】
【特許文献】
【０００４】
【特許文献１】特開２０１１−１０４４３４号公報
【発明の概要】
【発明が解決しようとする課題】
【０００５】
この種の弾球遊技機では、循環手段は、遊技盤からの遊技球を、回収通路を経て待機通路へと集めて、その待機通路の遊技球を球送り装置により発射手段へと供給する構成であり、遊技ホールの営業終了後に遊技球を抜き取る必要はなく、遊技球の封入状態が維持されているが、例えば、寒冷地での冬季において、循環手段内に封入された遊技球（以下、適宜に「封入球」と呼ぶことがある）の球詰まりが生じ易いという問題がある。
【０００６】
本発明は、このような従来の問題点に鑑み、循環手段内の封入球の球詰まりを低減できる弾球遊技機を提供することを目的とする。
【課題を解決するための手段】
【０００７】
本発明は、発明者が鋭意研究した結果、寒冷地での冬季において、昼間の営業中と夜間の閉店中との温度差により、遊技球が外部に露出しない構造である封入式の循環手段内における遊技球に結露が発生していることがあり、遊技球が濡れたままで翌日の営業を開始してしまい、遊技球自体が錆びることや、その錆が循環手段内に落下することで当該循環手段内において遊技球の球詰まりを生じているという相当因果関係を知見した。そこで、発明者はこの知見によって得られた新規な課題を解決するべく、以下の構成に想到することができたのである。
【０００８】
本発明は、遊技球が流下する遊技領域を有する遊技盤と、前記遊技領域に向けて遊技球を発射する発射手段とを備えた弾球遊技機において、前記遊技盤から排出された遊技球を前記発射手段に案内可能な循環経路を構成する循環手段と、前記循環手段の循環経路内壁面または当該循環手段内の遊技球表面の結露を低減する結露低減手段とを備えたものである。
【０００９】
前記結露低減手段は、前記循環手段の循環経路内壁面または当該循環手段内の遊技球表面とその周囲気体との温度差を低減する温度差低減手段としても良い。前記結露低減手段は、前記循環手段内の気体の水蒸気量を低減する水蒸気量低減手段としても良い。前記結露低減手段は、前記循環手段内の遊技球表面を拭く拭き取り手段又は当該循環手段内の遊技球表面に気体を吹き当てる若しくは遊技球表面の水滴を吸引する手段としても良い。前記温度差低減手段は、前記循環手段の循環経路内部に気体を送風する送風手段、前記循環手段に形成され且つ当該循環手段の外部と循環経路内部とを連通する連通部、前記循環手段に設けられた断熱部、又は、前記循環手段若しくは当該循環手段内の遊技球を加温する加温手段のうち少なくとも一つを備えたものとしても良い。前記水蒸気量低減手段は、前記循環手段の循環経路内に乾燥気体を送風する乾燥気体送風手段、又は、前記循環手段の循環経路内の気体を乾燥させる乾燥手段のうち少なくとも一つを備えたものとしても良い。
【００１０】
前記循環手段内の気温及び相対湿度を検出する気温・相対湿度検出手段と、気温と相対湿度による空気の露点温度を記憶する記憶手段と、前記循環手段の循環経路の内壁面温度又は当該循環手段内の遊技球表面温度を検出する表面温度検出手段と、前記気温・相対湿度検出手段で検出された気温及び相対湿度に基づいて露点温度を求め、前記表面温度検出手段で検出された表面温度が露点温度又は当該露点温度よりも高い所定温度に達した場合に、前記送風手段、前記加温手段又は前記乾燥気体送風手段を動作させる制御手段を備えたものとして良い。
【００１１】
前記循環手段の循環経路の内壁面温度又は当該循環手段内の遊技球表面温度を検出する表面温度検出手段と、前記表面温度検出手段で検出された表面温度が規定値以下の場合に、前記発射手段の動作を停止させる制御手段を備えたものとして良い。
【発明の効果】
【００１２】
本発明によれば、結露低減手段によって循環手段の循環経路内壁面または当該循環手段内の遊技球表面の結露を低減することができるので、遊技球自体が錆びることや、その錆が循環手段内に落下することを低減でき、循環手段内の封入球の球詰まりを低減できる弾球遊技機を提供することができる利点がある。
【図面の簡単な説明】
【００１３】
【図１】本発明の第１の実施形態を例示するパチンコ機の斜視図である。
【図２】同パチンコ機のガラス扉、下部扉を取り外した状態の正面図である。
【図３】同筐体側の正面図である。
【図４】同筐体側の斜視図である。
【図５】同パチンコ機の側面断面図である。
【図６】同パチンコ機の平面断面図である。
【図７】同パチンコ機の平面断面図である。
【図８】同循環経路の説明図である。
【図９】同施錠手段の側面断面図である。
【図１０】同発射手段の正面図である。
【図１１】同発射手段の側面断面図である。
【図１２】同遊技盤下部から回収手段の一部破断側面図である。
【図１３】同遊技盤下部から回収手段の正面断面図である。
【図１４】同循環手段の斜視図である。
【図１５】同移送手段の正面断面図である。
【図１６】同移送手段の側面図である。
【図１７】同移送手段の拡大正面断面図である。
【図１８】同移送手段の拡大側面断面図である。
【図１９】同研磨手段の正面断面図である。
【図２０】同研磨手段の平面断面図である。
【図２１】本発明の第２の実施形態を示す筐体側の正面図である。
【図２２】本発明の第３の実施形態を示すパチンコ機の一部破断平面図である。
【図２３】同筐体側の斜視図である。
【図２４】本発明の第４の実施形態を示す循環手段の斜視図である。
【図２５】本発明の第５の実施形態を示す循環手段の斜視図及び一部破断拡大斜視図である。
【図２６】本発明の第６の実施形態を示す循環手段の斜視図である。
【図２７】同送風手段の正面図である。
【図２８】同送風手段の斜視図である。
【図２９】本発明の第７の実施形態を示す乾燥気体送風手段の斜視図である。
【図３０】本発明の第８の実施形態を示す循環手段の斜視図である。
【図３１】本発明の第９の実施形態における吸引手段の正面図及び下側案内部を介して見た平面図である。
【図３２】本発明の第１０の実施形態を示す移送手段の拡大正面断面図である。
【図３３】同実施形態における記憶テーブルを示す図である。
【図３４】本発明の第１１の実施形態におけるパチンコ機のガラス扉、下部扉を取り外した状態の下部側を示す一部正面図である。
【図３５】同パチンコ機の平面断面図である。
【図３６】本発明の第１２の実施形態におけるパチンコ機のガラス扉、下部扉を取り外した状態の下部側を示す一部正面図である。
【図３７】同パチンコ機の平面断面図である。
【図３８】本発明の第１３の実施形態におけるパチンコ機のガラス扉、下部扉を取り外した状態の下部側を示す一部正面図である。
【図３９】同パチンコ機の搬送装置の正面図である。
【図４０】本発明の第１４の実施形態の遊技盤下部側を示す一部正面図である。
【図４１】球移動演出装置の正面図である。
【図４２】球移動演出装置の背面図である。
【図４３】本発明の第１５の実施形態におけるパチンコ機のガラス扉、下部扉を取り外した状態の下部側を示す一部正面図である。
【図４４】同パチンコ機の平面断面図である。
【発明を実施するための形態】
【００１４】
以下、本発明の各実施形態を図面に基づいて詳述する。図１〜図２０は本発明を循環封入式のパチンコ機に採用した第１の実施形態を例示する。パチンコ機は、図１及び図２に示すように、遊技島に固定される外枠１と、外枠１内に着脱自在に装着された遊技盤２と、外枠１の前側にヒンジ３により縦軸廻りに開閉自在に枢着され且つ遊技盤２を前側から覆うガラス扉（開閉扉）４と、外枠１の前側にヒンジ５により縦軸廻りに開閉自在に枢着され且つガラス扉４の下側を前側から覆う下部扉６とを備えている。なお、ヒンジ３，５は左右一端側に配置され、ガラス扉４、下部扉６を略同一軸心廻りに開閉自在に枢支する。
【００１５】
遊技盤２は図２に示すように正面視略矩形状であって、この遊技盤２の前面外周部には、内側の遊技領域７の全周を取り囲む飾り部材８が装着され、また遊技領域７に画像表示手段９、普通図柄始動手段１０、可変入賞手段１１、特別図柄始動手段１２、普通入賞手段１３、普通図柄表示手段１４、特別図柄表示手段１５等の各種の遊技部品が配置され、最下部にアウト球を裏側へと案内するアウト口１６が設けられている。
【００１６】
遊技領域７の上側には飾り部材８の内周に沿って左右方向に円弧状に湾曲するガイドレール１７が配置され、このガイドレール１７の一方側に球入口１８が、他方側に遊技球の緩衝体１９が夫々設けられている。図５に示すように、遊技盤２の裏側には画像表示手段９等の遊技部品を裏側から覆う裏カバー２０と、可変入賞手段１１、特別図柄始動手段１２、普通入賞手段１３等の遊技部品を裏側から覆い且つ遊技盤２の裏側に誘導された遊技球を集めて遊技盤２の下方へと排出する集球ケース２１とが上下に装着されている。
【００１７】
外枠１は図２〜図４に示すように左右一対の側板２３，２４と、この両側板２３，２４の上端部を左右に連結する天板２５と、両側板２３，２４の下端部を左右に連結する底板２６と、その両側板２３，２４、天板２５及び底板２６に跨がって裏側に装着された裏板２７と、両側板２３，２４の上下方向の中間に左右方向に架設された支持枠２８とを有する筐体２９により構成され、前側が開放する開口となっている。
【００１８】
ガラス扉４、下部扉６は筐体２９の開口を前側から塞ぐように上下に配置されており、筐体２９の一方の側板２３にヒンジ３，５により開閉自在に枢着され、筐体２９の他方の側板２４との間の施錠手段３０，３１により閉状態で施錠可能である。
【００１９】
ガラス扉４は、図５、図６に示すように、遊技盤２の遊技領域７に対応する視認窓３３を有する扉枠３４と、その視認窓３３に対応して扉枠３４に装着されたガラス板（透明板）３５とを備え、ガラス板３５を介して遊技領域７を視認するようになっている。扉枠３４は鉄板等の枠板３４ａと、この枠板３４ａの前面に装着された化粧カバー３４ｂ等を備えている。ガラス板３５は前後に２枚配置されている。なお、ガラス扉４のガラス板３５には、２枚のガラス板３５を外周の保持部材３６により保持したガラス板ユニット３７が使用され、図外の固定具により扉枠３４の裏面に着脱自在に装着されているが、２枚のガラス板３５を着脱自在に設けたものでも良い。
【００２０】
下部扉６の前面側には、図１に示すように、ガラス扉４の下側で前上向きに突出する表示操作パネル３９と、この表示操作パネル３９の左右方向の略中央部分の下側で前上向きに傾斜するタッチパネル式の表示パネル４０と、この表示パネル４０の一側に配置された発射ハンドル４１とが設けられている。表示操作パネル３９はチャンスボタン４２、プリペイド表示部（遊技価値表示部）４３、遊技球表示部４４、持ち球表示部４５、球貸ボタン４６、返却ボタン４７、精算ボタン４８等が配置されている。表示操作パネル３９と表示パネル４０間等の適当箇所に遊技者を撮像するカメラ４９が設けられている。
【００２１】
外枠１を構成する筐体２９内には、図２〜図７に示すように、遊技盤２が着脱自在に装着された遊技盤装着枠５２と、遊技盤２の遊技領域７へと遊技球を発射する発射手段５３と、遊技盤２を通過した遊技球を回収して発射手段５３へと循環させる循環手段５４と、循環中の遊技球を研磨して汚れを除去する研磨手段５５（図８参照）とが設けられている。
【００２２】
発射手段５３、遊技盤２及び循環手段５４は、図８に示すように閉回路状の循環経路Ｒを構成し、この循環経路Ｒ内に封入された所定数の遊技球を発射手段５３と遊技盤２との間で循環させながらゲームを行うようになっている。
【００２３】
遊技盤装着枠５２は筐体２９の両側板２３，２４間に架設された支持枠２８から上側に設けられており、図２、図３に示すように、支持枠２８の前部側に設けられ且つ遊技盤２の下側を受ける下受け部５７と、この下受け部５７から上側で両側板２３，２４の内面に設けられ且つ遊技盤２の左右両側部を受ける側受け部５８，５９と、天板２５の内側に設けられ且つ遊技盤２の上側を受ける上受け部６０とを有し、これらの受け部５７〜６０内に遊技盤２が前側から着脱自在に嵌め込まれて、その裏面外周が各受け部５７〜６０の当接部５７ａ〜６０ａに当接するようになっている。
【００２４】
遊技盤装着枠５２は筐体２９内で裏側が開放状になっており、遊技盤２を遊技盤装着枠５２に装着したときに、支持枠２８の上側で遊技盤２の裏カバー２０、集球ケース２１の後部が遊技盤装着枠５２から後方に突出するようになっている。遊技盤装着枠５２は遊技盤２の裏カバー２０、集球ケース２１を後方から覆うようにしても良い。側受け部５９と、上受け部６０には、図５、図７に示すように、遊技盤装着枠５２内に遊技盤２を押し込んだときに、遊技盤２を側受け部５８と、下受け部５７側へと押圧する押圧部５９ｂ，６０ｂが設けられている。
【００２５】
支持枠２８は左右の側板２３，２４に跨がって略水平状に架設されており、その前部側に下受け部５７が左右方向に設けられている。なお、この支持枠２８は各機構部品の取り付け用と、筐体２９の補強用とを兼用している。側受け部５８，５９と上受け部６０は支持枠２８の前後幅よりも幅の狭い材料により正面視門型状に構成されている。なお、下受け部５７は支持枠２８の上側に別体に設けても良い。
【００２６】
遊技盤装着枠５２には、図３、図４、図６に示すように、ヒンジ３側である左右一端側の側受け部５８に係合部５８ｂが、他端側に遊技盤装着枠５２内の遊技盤２を着脱自在に固定する上下一対の固定手段６３が夫々設けられている。遊技盤２を筐体２９に装着する際には、遊技盤２の左右一端側を遊技盤装着枠５２内に挿入して係合部５８ｂに係合した後、その係合状態で遊技盤２の他端側を後方に押圧して遊技盤装着枠５２内に遊技盤２を押し込むことにより、固定手段６３で遊技盤２を遊技盤装着枠５２に固定できるようになっている。
【００２７】
係合部５８ｂは側受け部５８の前側に設けられている。固定手段６３は遊技盤２の端縁を前後両側から挟んで係合するコ字状の係合体６３ａと、遊技盤装着枠５２の前面に固定された支持体６３ｂと、支持体６３ｂに設けられ且つ係合体６３ａを待機位置と固定位置との間で姿勢変更可能に支持するリンク機構６３ｃとを有する。そして、この固定手段６３は、遊技盤２を待機位置にある係合体６３ａに当接して遊技盤装着枠５２側に押圧したときに、係合体６３ａが待機位置から固定位置へと回動して遊技盤装着枠５２内で遊技盤２を固定でき、またリンク機構６３ｃの操作部を遊技盤２の離脱方向に操作したときに、係合体６３ａが固定位置から待機位置へと回動して遊技盤装着枠５２内の遊技盤２の端部側を前側へと押し出すようになっている。支持体６３ｂは遊技盤装着枠５２の前面側に装着されている。
【００２８】
下側の固定手段６３は支持枠２８から上側に突出する支持台２８ａの前面に着脱自在に固定され、上側の固定手段６３は上受け部６０の当接部６０ａの前面に着脱自在に固定されている。なお、各固定手段６３は遊技盤装着枠５２の一部に取り付けることが望ましいが、外枠１の側板２３，２４の内面等に固定しても良い。固定手段６３は他の構造のものでも良い。
【００２９】
施錠手段３０，３１は、図６、図７、図９に示すようにガラス扉４用と下部扉６用とがあり、筐体２９の側板２４と遊技盤装着枠５２の側受け部５９との間にガラス扉４、下部扉６に対応して上下方向に配置されている。ガラス扉４用の施錠手段３０は、ガラス扉４の裏側に複数個（例えば２個又は４個）設けられた被係合部３０ａと、筐体２９側のブラケット６４に枢軸３０ｂにより枢支され且つ各被係合部３０ａに係脱自在に係合する複数個の係合具３０ｃと、各係合具３０ｃを上下に連動させる連動部材３０ｄと、連動部材３０ｄを介して係合具３０ｃを係合方向に付勢するバネ３０ｅとを備えている。
【００３０】
下部扉６用の施錠手段３１は、ガラス扉４用と同様に、下部扉６の裏側に複数個（例えば２個又は４個）設けられた被係合部３１ａと、筐体２９側のブラケット６４に枢軸３１ｂにより枢支され且つ各被係合部３１ａに係脱自在に係合する複数個の係合具３１ｃと、各係合具３１ｃを上下に連動させる連動部材３１ｄと、連動部材３１ｄを介して係合具３１ｃを係合方向に付勢するバネ３１ｅとを備えている。
【００３１】
両施錠手段３０，３１の連動部材３０ｄ，３１ｄは左右に近接して配置され、その各連動部材３０ｄ，３１ｄに操作手段６５の係合体６５ａが係合する係合孔３０ｆ，３１ｆが設けられている。操作手段６５は筐体２９の側板２４の前面に装着されており、前後方向の操作軸６５ｂを有し、その操作軸６５ｂの後端に係合体６５ａが設けられている。そして、操作手段６５の前面のキー孔にキー６５ｃを挿入して操作軸６５ｂを正方向に操作すると、係合体６５ａ、連動部材３０ｄを介してガラス扉４用の施錠手段３０を解除でき、また操作軸６５ｂを逆方向に操作すると、係合体６５ａ、連動部材３１ｄを介して下部扉６用の施錠手段３１を解除できる。
【００３２】
発射手段５３は、図２に示すように、遊技盤２の周縁近傍、取り分け遊技盤２の外縁の延長線上よりも内側において、遊技盤２の左右一側の上部に形成された切り欠き部６７内に配置され、遊技盤２を着脱するときに切り欠き部６７に対して前後方向に相対的に出退するように、裏側で筐体２９側、例えば遊技盤装着枠５２に装着されている。
【００３３】
切り欠き部６７は遊技盤２を着脱するときに、遊技盤２と発射手段５３とが干渉しない大きさ、形状であって、図２、図７、図１０、図１１に示すように、遊技盤２の上側の外縁及び左側の外縁よりも内側に配置され、外周から遊技領域７側へと突出するように形成されている。遊技盤２の前面には、切り欠き部６７と遊技領域７との間に両者を区画する飾り部材８の仕切り部８ａが設けられており、この仕切り部８ａの内側上部に、ガイドレール１７に連続又は近接して球入口１８が設けられている。
【００３４】
球入口１８には遊技領域７内の遊技球の戻りを阻止する戻り球阻止具６８が設けられている。戻り球阻止具６８は弾性片、揺動片等により構成され、発射手段５３から発射された遊技球の遊技領域７内への通過を許容するようになっている。
【００３５】
発射手段５３は、図２、図７、図１０、図１１に示すように、その前面が遊技盤２の前面と略面一又は前後近傍に配置された発射支持板７０と、この発射支持板７０の前面に固定された発射レール７１と、発射支持板７０の前面に固定され且つ発射レール７１上の遊技球を発射位置に位置決めするストッパー７２と、発射支持板７０の前面に配置され且つ発射支持板７０に前後方向に挿通された打撃軸７３廻りに回転して発射レール７１の発射位置上の遊技球を遊技領域７へと打撃する打撃槌７４と、打撃槌７４を打撃軸７３廻りに回転駆動するロータリソレノイド等の発射駆動手段７５と、発射レール７１上の遊技球の発射を検出する発射検出スイッチ７６とを有する。
【００３６】
発射支持板７０は遊技盤装着枠５２から前側に突出する取り付け部５８ｃにネジ等で前側から着脱自在に固定されている。発射駆動手段７５は発射支持板７０の裏面に固定され、遊技者が発射ハンドル４１を把持したときに、発射ハンドル４１の回転操作量に応じた打撃力で打撃槌７４を打撃軸７３廻りに駆動するようになっている。発射レール７１は上側に略Ｖ字状の案内溝７１ａを有し、打撃槌７４により打撃された遊技球を球入口１８からガイドレール１７に沿って遊技領域７内へと案内するようになっている。なお、遊技盤装着枠５２には、発射駆動手段７５、球送り手段７７に対応して開口部５８ｄが設けられている。
【００３７】
発射支持板７０には発射レール７１上の発射位置へと遊技球を落下させる球送り口７０ａが設けられ、この球送り口７０ａに対応して発射支持板７０の裏面に球送り手段７７が装着されている。球送り手段７７は発射手段５３の遊技球の発射動作、例えば打撃槌７４の打撃軸７３廻りの回転運動に連動して作動し、発射手段５３が遊技球を発射する毎に、後述の貯留手段８８の送り通路８８ｄから供給される遊技球を１個ずつ発射支持板７０の球送り口７０ａを経て、遊技球の発射後に発射レール７１上の発射位置へと送るようになっている。なお、球送り手段７７には周知のものが使用されている。球送り手段７７は打撃槌７４の発射動作に機械的に連動して作動しても良いし、電気的に連動して作動しても良い。
【００３８】
遊技領域７の上部側は、図２に示すように飾り部材８により略円弧状に形成されている。飾り部材８には発射手段５３の内側に仕切り部８ａが遊技領域７の中心側へと突出して設けられている。ガラス扉４には、図１、図５、図７に示すように、発射手段５３、遊技盤２の切り欠き部６７に対応して、この発射手段５３、切り欠き部６７を前側から覆う覆い部７８が設けられている。覆い部７８は視認窓３３の中心側に突出して扉枠３４に設けられている。
【００３９】
集球ケース２１は図４に示すように上側及び前側が開放する形状であって、遊技盤装着枠５２の下受け部５７と緩衝しないように、遊技盤２の下端よりも上側で遊技盤２の裏面に装着されている。この集球ケース２１の底壁７９には、図４、図６、図１２、図１３に示すように、左右方向の略中央側等の適当箇所に遊技球を下方に排出する排出口８０と、この排出口８０へと遊技球を案内する傾斜壁８１とを前後に備え、その左右両側は排出口８０、傾斜壁８１へと遊技球を案内するように傾斜状に構成されている。
【００４０】
排出口８０はアウト口１６の下方で遊技盤２の裏面近傍に配置され、この排出口８０の後側に傾斜壁８１が設けられている。傾斜壁８１の上面には、傾斜方向に沿った前後方向の突条８１ａが左右方向に複数設けられており、左右両側の遊技球が突条８１ａ上に落下して、その突条８１ａにより排出口８０側へと案内されるようになっている。なお、集球ケース２１の排出口８０は左右方向の略中央に配置しているが、左右方向の一側に配置しても良いし、遊技盤２から後方に離れて底壁７９の後部に配置しても良い。
【００４１】
図６に示すように、遊技盤２の裏側には盤側ジョイント部８３が、外枠１内には枠側ジョイント部８４が前後に対応して夫々設けられている。この盤側ジョイント部８３、枠側ジョイント部８４は遊技盤２を遊技盤装着枠５２に着脱するに際して、図６に二点鎖線で示すように、遊技盤２の一端側を遊技盤装着枠５２内に挿入して一端側を支点として他端側を前後方向に回動させたときに、相対応する盤側ジョイント部８３の盤側コネクタ８３ａと枠側ジョイント部８４の枠側コネクタ８４ａとが電気的に接続するようになっている。
【００４２】
盤側ジョイント部８３は集球ケース２１（又は保護カバー）の左右方向の一側の傾斜段部２１ａの裏面に設けられている。この盤側ジョイント部８３は、傾斜段部２１ａの裏面に配置された中継基板８３ｂを有し、この中継基板８３ｂに盤側コネクタ８３ａと中継コネクタ８３ｃとが左右に装着されている。盤側コネクタ８３ａは左右方向の外側に、中継コネクタ８３ｃは左右方向の内側に夫々配置され、また盤側コネクタ８３ａと中継コネクタ８３ｃとの間には、中継コネクタ８３ｃに接続されたハーネス（図示省略）を外側から覆うカバー８３ｄが設けられている。
【００４３】
枠側ジョイント部８４は支持枠２８から上側に突出する支持台２８ａ上に起立状態に固定されたケース体８４ｂを有し、そのケース体８４ｂの前面の傾斜装着面に上下及び左右方向に所定範囲内で遊動可能に枠側コネクタ８４ａが装着されている。盤側コネクタ８３ａ、枠側コネクタ８４ａは上下方向に所定の間隔をおいて複数個設けられており、遊技盤２を着脱するときに盤側コネクタ８３ａと枠側コネクタ８４ａとの内、その一方の多数の接続ピンが他方の多数の接続孔に対して前後方向に挿脱して、両コネクタ８３ａ，８４ａ同士が電気的に着脱するようになっている。なお、盤側コネクタ８３ａ、枠側コネクタ８４ａは左右方向に長くなっている。
【００４４】
盤側ジョイント部８３、枠側ジョイント部８４の対向面は、その盤側コネクタ８３ａと枠側コネクタ８４ａとの接続状態において、その挿脱部分の前後方向の略中央が遊技盤２の一端側の係合部５８ｂ近傍を通る仮想線分上に位置するように構成されており、例えば集球ケース２１の傾斜段部２１ａ、盤側ジョイント部８３の中継基板８３ｂ、枠側ジョイント部８４のケース体８４ｂの傾斜装着面が仮想線分と略平行になっている。従って、遊技盤２を装着する際には、盤側コネクタ８３ａと枠側コネクタ８４ａとがヒンジ３に近い側から、逆に遊技盤２を離脱する際にはヒンジ３から遠い側から順次挿脱する。
【００４５】
画像表示手段９は、図２に示すように、遊技盤２に装着された前飾り枠９ａと、この前飾り枠９ａの表示窓に対応して配置された画像表示部９ｂとを有する。普通図柄始動手段１０は遊技盤２の前面で遊技球が通過可能な通過ゲートにより構成されている。可変入賞手段１１、特別図柄始動手段１２、普通入賞手段１３は入賞した遊技球を遊技盤２の裏側へと誘導する入賞手段１１〜１３を構成し、可変入賞手段１１が左右方向の略中央に、特別図柄始動手段１２が画像表示手段９と可変入賞手段１１との間に、普通入賞手段１３が可変入賞手段１１の左右両側に夫々配置されている。アウト口１６は可変入賞手段１１の下側で遊技領域７の最下部に配置されている。
【００４６】
循環経路Ｒは発射手段５３から遊技盤２へと遊技球を案内する往路と、遊技盤２を通過した遊技球を回収して発射手段５３側に戻す復路とを有する閉回路に構成され、その復路に循環手段５４が設けられている。
【００４７】
循環手段５４は、図２、図３、図１４に示すように、遊技盤２の下方に配置され且つ遊技盤２を通過した遊技球を回収する回収手段８６と、この回収手段８６により回収された遊技球を発射手段５３側へと移送する回転式の移送手段８７と、この移送手段８７により移送された発射用の遊技球を貯留する貯留手段８８と、この貯留手段８８内の遊技球を発射手段５３の発射動作に連動して１個ずつ発射手段５３へと送る球送り手段７７とを有する。
【００４８】
回収手段８６は、図１２〜図１４に示すように、集球ケース２１の排出口８０から落下する遊技球を受け入れる受け入れ手段８９と、受け入れ手段８９からの遊技球を移送手段８７へと案内し待機させる待機ケース９０とを有し、発射手段５３、貯留手段８８及び球送り手段７７、少なくとも貯留手段８８よりも下側に配置されている。受け入れ手段８９は回収口８９ａと、この回収口８９ａからの遊技球を下方に案内させる回収通路８９ｂと、回収通路８９ｂを通過する遊技球を検出する回収検出スイッチ８９ｃとを有する。
【００４９】
回収口８９ａは集球ケース２１の排出口８０の下側で支持枠２８から上側に突出して一体に設けられ、排出口８０から落下する遊技球を受け入れて下方へと案内するようになっている。回収通路８９ｂは回収口８９ａ側の遊技球を円滑に案内できるように左右方向に近接して複数配置され、下受け部５７の後方近傍で下方に突出するように支持枠２８に一体に設けられている。回収検出スイッチ８９ｃは遊技球が通過する通孔を有し、回収通路８９ｂの上下方向の中間、例えば支持枠２８の下側近傍で回収通路８９ｂに対して略直交方向に配置されている。各回収検出スイッチ８９ｃは上下に位置を変えて千鳥状に配置されている。
【００５０】
待機ケース９０は、例えば樹脂成形部品であり、回収通路８９ｂの下側で上向きに開口する受け口９０ａと、この受け口９０ａから移送手段８７の入口側へと傾斜状に設けられた待機通路９０ｂとを有し、支持枠２８の下側に適宜ブラケット等を介して取り付けられている。受け口９０ａには回収通路８９ｂの下側から前側に張り出す漏斗状の補充口９０ｃが一体に設けられ、循環経路Ｒ内に封入された遊技球の球数が減少したときに、この補充口９０ｃから循環経路Ｒ内に遊技球を補充するようになっている。なお、補充口９０ｃは移送手段８７の入口より上手側、望ましくは待機通路９０ｂの整列部よりも上手側にあれば良い。
【００５１】
また、待機通路９０ｂの外側各壁面には、結露低減手段としての図示省略の断熱層が形成されている。この断熱層としては、例えば、断熱シートあるいは断熱フィルムを貼り付けることで形成している。なお、上記断熱シートあるいは断熱フィルム以外として、待機通路９０ｂの外側各壁面に断熱塗料を塗ったりしても良い。この断熱層により、待機通路９０ｂの外部の気温が低くなっても当該待機通路９０ｂの内部や遊技球が冷えることを低減できる。
【００５２】
待機通路９０ｂは少なくとも移送手段８７の入口側では待機中の遊技球を一列状に整列させるようになっており、また待機通路９０ｂに所定数、例えば５個又は１０個以上の遊技球があることを検出する待機検出スイッチ９１（図１３参照）と、待機通路９０ｂの遊技球が全て移送されて待機通路９０ｂに遊技球がないことを検出する移送検出スイッチ９１ｂ（図１５参照）とが設けられている。
【００５３】
貯留手段８８は発射手段５３による遊技球の発射中に遊技球が途切れないように、発射手段５３の連続的な発射に必要な数の遊技球を常時貯留するためのものであって、図３〜図６に示すように、遊技盤２の上部側に配置された発射手段５３の上手に設けられる球送り手段７７よりも上流側において、筐体２９内の遊技盤装着枠５２よりも裏側に配置されている。なお、球送り手段７７の遊技球の貯留数は、移送手段８７の停止中も発射手段５３の発射用の遊技球が殘存する数となっている。
【００５４】
この貯留手段８８は、例えば樹脂成形部品であり、図３〜図６、図１４に示すように、遊技球が左右方向に配置され且つ逆方向に傾斜する上流側貯留通路８８ａ及び下流側貯留通路８８ｂと、両貯留通路８８ａ，８８ｂを接続する短い接続通路８８ｃと、下流側貯留通路８８ｂの下手側を球送り手段７７に接続する短い送り通路８８ｄとを有する平面視略Ｕ字状により構成されている。なお、各通路８８ａ〜８８ｄをその他の形状の屈曲通路により構成しても良い。
【００５５】
各通路８８ａ〜８８ｄ内は遊技球が一列状に整列して球送り手段７７へと転動するように角筒、円筒等の筒体により構成されている。送り通路８８ｄは球送り手段７７の入口に連通している。なお、貯留手段８８はブラケット等を介して筐体２９の天板２５、遊技盤装着枠５２等に取り付けられている。
【００５６】
また、各通路８８ａ〜８８ｄの外側各壁面にも、前述した待機通路９０ｂの断熱層と同様の断熱層（図示省略）が形成されている（例えば、断熱シートあるいは断熱フィルムが貼り付けられている）。なお、各通路８８ａ〜８８ｄの外側各壁面に断熱塗料を塗ったりしても良い。この断熱層により、各通路８８ａ〜８８ｄの外部の気温が低くなっても当該各通路８８ａ〜８８ｄの内部や遊技球が冷えることを低減できる。
【００５７】
移送手段８７は遊技盤２よりも下側に配置された回収手段８６の待機通路９０ｂからの遊技球を遊技盤２の上部側に配置された貯留手段８８へと移送するように構成されている。この移送手段８７は、図１４〜図１８に示すように、遊技盤装着枠５２の裏側で縦方向に配置され且つ上端が上流側貯留通路８８ａの最上手側に接続された上昇通路９３と、回収手段８６の待機通路９０ｂ内の遊技球を上昇通路９３の下側へと送り込む回転移送体９４と、回収手段８６の待機通路９０ｂと上昇通路９３との間で回転移送体９４に沿ってその下側に設けられた案内部材９５と、回転移送体９４を駆動する移送駆動手段９６とを有する。
【００５８】
上昇通路９３は、例えば樹脂成形部品であり、図５、図６に示すように、貯留手段８８側と同様に遊技球が一列状に並ぶ程度の寸法を有する角筒、円筒等の筒体により構成され、支持枠２８の切り欠き部６７を経て上下方向に配置されている。
【００５９】
また、上昇通路９３の外側各壁面にも、前述の断熱層と同様の断熱層（図示省略）が形成されている（例えば、断熱シートあるいは断熱フィルムが貼り付けられている）。なお、上昇通路９３の外側各壁面に断熱塗料を塗ったりしても良い。この断熱層により、上昇通路９３の外部の気温が低くなっても当該上昇通路９３の内部や遊技球が冷えることを低減できる。
【００６０】
回転移送体９４は外周に多数の球捕捉部１００が形成され且つ周溝（又は間隔）９８を介して前後両側に配置された前後一対の回転スプロケット９９を備え、前後方向の回転軸１０９廻りの回転により、両回転スプロケット９９の球捕捉部１００で捕捉した遊技球を案内部材９５に沿って案内するようになっている。両回転スプロケット９９間の間隔は図１８に示すように遊技球の直径よりも若干小であり、またその球捕捉部１００は図１７に示すように遊技球の直径よりも若干小さい直径で円弧状に凹入している。
【００６１】
なお、各回転スプロケット９９の球捕捉部１００は、前後両側で遊技球に点接触又は線接触するようになっている。回転移送体９４は外周に多数の球捕捉部１００を有するものであれば良く、１個の回転スプロケット９９により構成しても良い。球捕捉部１００は回転移送体９４の外周から外方に突出する突起により構成しても良い。
【００６２】
案内部材９５は、図１５に示すように、回転移送体９４の外周に沿って円弧状に形成された下側案内部１０１と、この下側案内部１０１の前後両側から回転移送体９４の前後両側に沿って屈曲する側壁部１０２と、下側案内部１０１の案内方向の下手側に一体に設けられ且つ下側案内部１０１から上昇通路９３へと縦方向の接線方向に伸びる上昇側案内部１０３とを備え、一方の側壁部１０２に設けられた取り付け部１０２ａと上昇側案内部１０３に設けられた取り付け部１０３ａとを介して支持板１０４に着脱自在に固定されている。また、支持板１０４は筐体２９の側板２３の内面に固定されている。なお、支持板１０４は支持枠２８の下側に固定しても良い。下側案内部１０１と上昇側案内部１０３は別部材により構成しても良いし単一部材により構成しても良い。
【００６３】
移送手段８７の回収手段８６側には、回転移送体９４と案内部材９５との間に入口部１０５が設けられている。この入口部１０５には案内部材９５の前後の側壁部１０２間に配置された可動案内片１０６が設けられると共に、可動案内片１０６上の最下流側の遊技球に対応して移送検出スイッチ９１ｂが設けられている。可動案内片１０６はその下手側が前後方向の支軸１０７により案内部材９５に支持され、また上手側が回収手段８６の待機通路９０ｂに対応する高さで図外の適宜手段により規制されている。
【００６４】
支軸１０７は前後の側壁部１０２に形成された上下方向の調整孔に沿って上下調整可能に挿通されている。可動案内片１０６には支軸１０７の挿通部１０６ａに、遊技球が支軸１０７と接触するように幅方向の略中央部に切除部１０６ｂが設けられている。入口部１０５の下流側と下側案内部１０１との間には段差部１０８が設けられている。
【００６５】
段差部１０８は支軸１０７と下側案内部１０１との間に回転スプロケット９９の径方向に設けられており、移送駆動手段９６が停止状態のときに回転スプロケット９９の球捕捉部１００内の遊技球が回転スプロケット９９の逆転方向から当接して、回転スプロケット９９の逆転を阻止するためのものであり、回転スプロケット９９の逆転防止用のストッパー部を構成している。
【００６６】
案内部材９５の下側案内部１０１には、段差部１０８側に弾性部１０１ａが設けられている。弾性部１０１ａは前後の側壁部１０２から切り離された舌片状であり、回転スプロケット９９の球捕捉部１００内の遊技球が逆転方向から支軸１０７に当接するときに弾性変形によりその衝撃を吸収するようになっている。
【００６７】
上昇側案内部１０３には通路カバー１１０が設けられている。通路カバー１１０は断面凸状であって、上昇側案内部１０３に当接して着脱自在に装着され且つ上昇側案内部１０３との間で上昇案内通路１１１を形成している。通路カバー１１０には、回転スプロケット９９間の周溝９８に対応して下向きに突出し且つ回転スプロケット９９の球捕捉部１００内の遊技球を掻き出して上昇案内通路１１１側へと略接線方向に案内する掻き出し突部１１２が設けられている。なお、支持板１０４には回転移送体９４を上側から覆うカバー１１３が設けられている。
【００６８】
また、上昇側案内部１０３及び通路カバー１１０の外側壁面にも、前述した待機通路９０ｂの断熱層と同様の断熱層（図示省略）が形成されている（例えば、断熱シートあるいは断熱フィルムが貼り付けられている）。なお、上昇側案内部１０３及び通路カバー１１０の外側壁面に断熱塗料を塗ったりしても良い。この断熱層により、上昇側案内部１０３及び通路カバー１１０の外部の気温が低くなっても当該上昇側案内部１０３及び通路カバー１１０の内側やそこに位置する遊技球が冷えることを低減できる。
【００６９】
移送駆動手段９６は駆動モータ等により構成され、支持板１０４の裏側に装着されている。この移送駆動手段９６は待機検出スイッチ９１が待機通路９０ｂの所定数以上の遊技球の待機を検出したときに起動して回転スプロケット９９を移送方向に駆動し、移送検出スイッチ９１ｂが待機通路９０ｂに遊技球がなくなったことを検出したときに、最後の遊技球が段差部１０８を通過することを待って停止するようになっている。
【００７０】
なお、回収手段８６の待機通路９０ｂ、移送手段８７の回転移送体９４、案内部材９５及び上昇案内通路１１１は、平面視において左右方向の略一直線上に配置されている。
【００７１】
研磨手段５５は、図１９、図２０に示すように、上昇側案内部１０３の開口１０３ｂから上昇案内通路１１１内に突出して遊技球を研磨する研磨体１１６と、この研磨体１１６を前後方向の軸心廻りに遊技球の移動方向とは逆方向に回転駆動するモータ等の研磨駆動手段１１７とを備えている。
【００７２】
研磨体１１６は例えば無端帯状の研磨材により構成され、研磨枠１１８の駆動輪１１９と従動輪１２０とに巻き掛けられ、従動輪１２０の外周側が開口１０３ｂから上昇案内通路１１１内に突出している。駆動輪１１９は研磨枠１１８に挿通された駆動軸１２１に固定され、駆動軸１２１は研磨枠１１８に固定された研磨駆動手段１１７により駆動される。従動輪１２０は研磨枠１１８に固定された固定軸１２２に回転自在に支持されている。研磨枠１１８は前側が開放状であって、上下の装着部１２３，１２４を介して上昇側案内部１０３に着脱自在に装着され、且つバネ１２５により研磨体１１６が上昇案内通路１１１内に突出するように付勢されている。
【００７３】
一方の装着部１２４は上昇側案内部１０３の係合部１２４ａと、研磨枠１１８に設けられ且つ係合部１２４ａに係脱自在に係合する係合片１２４ｂとを有する。他方の装着部１２３は上昇側案内部１０３側に突設された固定ピン１２３ａと、研磨枠１１８に設けられ且つ固定ピン１２３ａが挿脱自在に挿通される取り付け片１２３ｂとを有し、その取り付け片１２３ｂと固定ピン１２３ａの抜け止め具１２６との間で固定ピン１２３ａにコイル状のバネ１２５が介在されている。研磨枠１１８は前側が開放状であり、この開放側から研磨体１１６が駆動輪１１９、従動輪１２０に着脱自在に巻き掛けられている。抜け止め具１２６は固定ピン１２３ａに挿脱自在である。
【００７４】
なお、研磨駆動手段１１７は電源投入後に常時研磨体１１６を駆動するようにしても良いが、遊技者が発射ハンドル４１に接触して発射手段５３が発射動作中のとき、又は移送手段８７の移送駆動手段９６が回転移送体９４を駆動する移送動作中のときに、研磨体１１６を駆動するようにしても良い。また研磨手段５５は循環中の遊技球を研磨してその汚れを除去できる。
【００７５】
筐体２９内には、図２に示すように、底板２６と支持枠２８との間等の適当箇所に、各部に電源を供給するための電源基板が収納された電源基板ケース１３０、発射手段５３を制御するための発射制御基板が収納された発射制御基板ケース１３１、各入賞手段１１〜１３に遊技球が入賞時の賞球を制御するための賞球制御基板が収納された賞球制御基板ケース１３２、球貸ボタン４６の操作時の球貸しを制御するための球貸制御基板が収納された球貸制御基板ケース１３３等、各種の基板を収納する基板ケースが適宜手段を介して装着されている。
【００７６】
このパチンコ機は、隣接して配置される遊技情報読取・書込手段（図示省略）との間で相互通信により情報の授受を行う。例えば遊技情報読取・書込手段に遊技価値記録媒体、例えば遊技カードを挿入すると、その遊技カードの度数等の遊技価値が遊技価値表示部４３に度数等で表示されるので、次に球貸ボタン４６を操作する。すると球貸ボタン４６の操作に応じた所定数の遊技球が持ち球として貸し出され、その球数が遊技球表示部４４に表示される。また遊技価値表示部４３の遊技価値が減算される。
【００７７】
遊技者が発射ハンドル４１を操作すると、発射手段５３が所定の時間間隔で遊技領域７へと遊技球を発射する。このとき発射検出スイッチ７６で遊技球の発射が計数され、その計数値が所定数（１個又は複数個（例えば５個））になる毎に遊技球表示部４４の表示数が減算されて行く。可変入賞手段１１、特別図柄始動手段１２、普通入賞手段１３等の入賞手段１１〜１３に遊技球が入賞すると、各入賞手段１１〜１３毎に予め定められた１入賞当たりの賞球が付与され、その賞球数が所定数（１個又は複数個（例えば５個））になる毎に遊技球表示部４４の表示数に加算されて行く。
【００７８】
精算ボタン４８を操作すると、遊技球表示部４４の表示数が持ち球表示部４５に表示されて、遊技球表示部４４の表示が消える。次に返却ボタン４７を操作すると、持ち球表示部４５の表示数に相当する遊技価値が遊技情報読取・書込手段で遊技カードに記録された後、持ち球表示部４５の表示が消え、遊技カードが遊技情報読取・書込手段から返却される。
【００７９】
遊技カードを挿入したときに、カメラ４９が作動して遊技者の顔を撮影して本人確認を行うようにしても良い。この場合、例えば遊技者が事前に登録された本人でなければ、その旨を報知して遊技カードを返却し、本人のときにはその旨を報知して、その後のボタン操作等が可能になるようにする。なお、これらの処理は単なる例示に過ぎず、これに限定されるものではない。
【００８０】
このパチンコ機では、発射手段５３と遊技盤２との間に形成された循環経路Ｒ中に所定数の遊技球が封入されており、発射手段５３の発射に必要な数の遊技球が貯留手段８８に貯留された状態にある。そこで、球貸ボタン４６を操作すると、その操作に応じた数の遊技球の貸し出しがあり、その球数の範囲内で発射手段５３により遊技球を発射可能である。
【００８１】
発射ハンドル４１を操作すると、その操作量に応じた打撃力で打撃槌７４が発射駆動手段７５により発射軸廻りに繰り返し駆動され、打撃槌７４によって発射レール７１上の発射位置にある遊技球が遊技領域７へと順次発射される。この場合、発射手段５３では打撃槌７４で発射レール７１上の遊技球を打撃するが、発射手段５３自体が遊技盤２の一側上部にあるため、軽い打撃により遊技球を遊技領域７へと発射することが可能であり、発射駆動手段７５の小型化を図ることができる。
【００８２】
発射された遊技球はガイドレール１７に沿って遊技領域７の適当位置に案内された後、遊技釘、その他の部材に衝突又は案内されながら遊技盤２に沿って下方へと落下し、その間に各入賞手段１１〜１３等に入賞した遊技球は遊技盤２の裏側へと誘導され、また入賞しない遊技球はアウト口１６から遊技盤２の裏側へと誘導されて行く。
【００８３】
遊技盤２の前面に沿って落下する遊技球が普通図柄始動手段１０を通過すると、画像表示手段９の前飾り枠９ａ等に装着された普通図柄表示手段１４の普通図柄が変動表示する。普通図柄表示手段１４は複数種類の普通図柄（例えば２種類の「○」「×」）に対応する複数の発光素子により構成されており、普通図柄始動手段１０の遊技球の検出を条件に各発光素子が交互に点灯するように所定時間点滅する。そして、普通図柄始動手段１０の遊技球の検出時に抽選した乱数値が予め定められた当たり判定値と一致した場合には、当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００８４】
普通図柄が当たり態様で停止して特別図柄始動手段１２の開閉作動部１２ｂが開放する等により、特別図柄始動手段１２が遊技球を検出すると、画像表示手段９の前飾り枠９ａ等に装着された特別図柄表示手段１５の特別図柄が所定時間変動表示する。特別図柄表示手段１５は発光部位の変化等で特別図柄を変動表示可能なセグメント式等により構成されており、特別図柄始動手段１２の遊技球の検出を条件に特別図柄が所定時間変動して、特別図柄始動手段１２の遊技球の検出時に抽選された乱数値が予め定められた大当たり判定値と一致した場合に所定の大当たり態様で、それ以外の場合に外れ態様で停止するようになっている。
【００８５】
特別図柄始動手段１２は開閉動作をしない非作動部１２ａと、普通図柄が当たり態様で停止したときに所定時間開放する開閉作動部１２ｂとを上下に有し、何れに遊技球が入賞した場合にも、特別図柄表示手段１５の特別図柄が変動する。
【００８６】
特別図柄表示手段１５の変動後の特別図柄が大当たり態様となって特別遊技状態が発生したときに可変入賞手段１１の開閉扉が前側に開放して、上方から落下する遊技球を開閉扉を経て可変入賞口へと入賞させる。特別遊技状態中は開閉扉の開放から所定時間（例えば３０秒程度）が経過するか、その間に所定数（例えば１０個）の遊技球が入賞したときに開閉扉を閉じる動作を１ラウンドとし、この動作を所定回数（例えば１６ラウンド）継続するようになっている。
【００８７】
このようなゲーム中に画像表示部９ｂは特別図柄表示手段１５の特別図柄に対応する演出図柄９ｃ〜９ｅを変動表示し、またチャンスボタン４２の操作を指示する等、遊技の進行に従って適宜タイミングで各種の演出画像を随時表示する。即ち、特別図柄表示手段１５の特別図柄の変動に際しては、その特別図柄の変動に同期して１個又は複数、例えば３個の演出図柄９ｃ〜９ｅが画像表示部９ｂに変動表示される。このとき演出図柄９ｃ〜９ｅは特別図柄始動手段１２の遊技球の検出を条件に、抽選により決定された所定の演出図柄変動パターンを経て所定時間変動した後、特別図柄の変動終了に同期して所定の順序  （例えば左、右、中等の順序）で順次停止する。
【００８８】
演出図柄９ｃ〜９ｅの変動後の停止図柄は、特別図柄が大当たり態様で停止する場合には全てが揃う大当たり演出態様となり、特別図柄が外れ態様で停止する場合には少なくとも一部が異なる外れ演出態様となる。例えば、演出図柄９ｃ〜９ｅには０〜９までの数字図柄が使用されており、特別図柄が大当たり態様で停止する場合には演出図柄９ｃ〜９ｅは「７・７・７」等の大当たり演出態様で停止し、特別図柄が外れ態様で停止する場合には演出図柄９ｃ〜９ｅは「２・４・５」等の外れ演出態様で停止する。
【００８９】
チャンスボタン４２の操作指示に際しては、変動後の特別図柄が大当たり態様となる信頼度の高い演出図柄変動パターンを抽選したとき等、遊技者に対して期待感を抱かせる所定の遊技状態、例えば１個の演出図柄９ｄを除く２個の演出図柄９ｃ，９ｅが同じとなるリーチとなった場合に、画像表示部９ｂの所定箇所にチャンスボタン４２の操作を指示する操作指示画像９ｆが表示される。
【００９０】
そして、例えば特別図柄始動手段１２が遊技球を検出したときに大当たりを抽選しており、変動後の特別図柄が大当たり態様となった後に特別遊技状態が発生する場合には、その操作指示画像９ｆに従って図柄変動中に適宜タイミングでチャンスボタン４２を押圧操作すれば、画像表示部９ｂに所定の予告画像が明滅発光して表示される等により、その後の大当たり態様での特別図柄の停止、及びこれに続く特別遊技状態の発生を予告する演出がなされる。
【００９１】
可変入賞手段１１、特別図柄始動手段１２、普通入賞手段１３等の入賞手段に遊技球が入賞すると、その夫々に対応して予め決められた数の遊技球が賞球として遊技者に与えられ、その遊技球が加算されて遊技球表示部４４に表示される。
【００９２】
可変入賞手段１１、特別図柄始動手段１２、普通入賞手段１３等に入賞して遊技盤２の裏側へと誘導された遊技球は、可変入賞手段１１、普通入賞手段１３等から集球ケース２１内へと落下し、傾斜壁８１等を経て排出口８０から下方へと排出されて行く。またアウト口１６に入った遊技球は、遊技盤２の裏側から集球ケース２１内へと落下し排出口８０から下方へと排出されて行く。
【００９３】
集球ケース２１の排出口８０から出た遊技球は、回収手段８６を経て移送手段８７側へと回収される。この回収に際して回収手段８６の回収口８９ａへと落下した遊技球は、左右方向の複数個の回収通路８９ｂの何れかを経て下方へと落下するため、複数個の遊技球が短時間に回収口８９ａへと集中するようなことがあっても、それらの遊技球を集球ケース２１から回収手段８６へと円滑に回収することができる。
【００９４】
また各回収通路８９ｂを通過中の遊技球は回収検出スイッチ８９ｃにより検出され、その検出信号により回収手段８６に回収された遊技球の数が計数される。従って、例えば発射検出スイッチ７６で検出された遊技球の発射数と、回収検出スイッチ８９ｃで検出された遊技球の回収数とを計数して、その発射数と回収数との差を演算することにより、待機中の遊技球の数を把握することができる。
【００９５】
待機通路９０ｂで待機中の遊技球が所定数（例えば５個又は１０個）以上になれば、待機検出スイッチ９１がそれを検出して移送駆動手段９６が回転スプロケット９９を移送方向に駆動して、待機通路９０ｂ中の遊技球を回転スプロケット９９の回転により上昇案内通路１１１を経て上昇通路９３へと送り込む。
【００９６】
即ち、移送手段８７の上昇通路９３、上昇案内通路１１１、及び上昇案内通路１１１から段差部１０８までの回転スプロケット９９の球捕捉部１００には、通常、遊技球が充満した状態にある。その状態で待機通路９０ｂに待機中の遊技球が図１５、図１７に二点鎖線出示すように所定数以上になると、待機検出スイッチ９１が待機中の遊技球を検出して、移送駆動手段９６が回転スプロケット９９を移送方向に駆動する。そして、待機通路９０ｂの遊技球が全て移送されて待機中の遊技球がなくなると、移送検出スイッチ９１ｂが全ての遊技球の移送を検出して、遊技球が段差部１０８を通過した時点で移送駆動手段９６が回転スプロケット９９の駆動を停止する。
【００９７】
回転スプロケット９９が移送方向に回転する前の時点では、移送手段８７の入口側の最下流の遊技球が回転スプロケット９９の球捕捉部１００に入った状態にあり、その状態から回転スプロケット９９が移送方向に回転すると、後続の遊技球が回転スプロケット９９の球捕捉部１００に順次入る。
【００９８】
回転スプロケット９９の球捕捉部１００に入った遊技球は、回転スプロケット９９の回転に伴って案内部材９５に案内されながら回転スプロケット９９の下側を経て反対側の上昇案内通路１１１へと送られる。遊技球が上昇案内通路１１１の下端側に達すると、先端が回転スプロケット９９間の周溝９８に突出する掻き出し突部１１２によって、回転スプロケット９９の球捕捉部１００内の遊技球が順次掻き出された後、その遊技球は回転スプロケット９９の回転により後続の遊技球によって上昇案内通路１１１内へと接線方向の上方に押し上げられて行く。
【００９９】
上昇案内通路１１１内に入った遊技球は、後続の遊技球によって押し上げられながら上昇通路９３へと移動し、その上昇通路９３を経て貯留手段８８へと移送されて行く。そして、上昇通路９３の上端に達した遊技球は、上昇通路９３と貯留手段８８の上流側貯留通路８８ａとの間の最上部を通過すると、上流側貯留通路８８ａの傾斜に沿って転動しながら接続通路８８ｃ、下流側貯留通路８８ｂへと移動して、貯留手段８８内に略一列状に貯留される。
【０１００】
回転スプロケット９９による移送によって待機通路９０ｂに待機中の遊技球がなくなると、移送検出スイッチ９１ｂが全ての遊技球の移送を検出して移送駆動手段９６が回転スプロケット９９の駆動を停止して遊技球の移送を中断する。そして、回転スプロケット９９の停止後、待機通路９０ｂに待機中の遊技球が所定数の５個又は１０個以上になれば、回転スプロケット９９が再度回転して遊技球の移送動作を開始する。
【０１０１】
このため回転スプロケット９９の回転によりその球捕捉部１００内の遊技球を送りながら上昇通路９３内の遊技球を押し上げるようにしているにも拘わらず、球捕捉部１００内に遊技球が入らない状態で回転スプロケット９９が回転するようなことがない。従って、上昇案内通路１１１の下端を回転スプロケット９９が通過するときに、上昇案内通路１１１内の下端側の遊技球によって回転スプロケット９９の球捕捉部１００間の突出部が叩かれるようなこともなく、遊技球を連続的に移送することができる。
【０１０２】
また回転スプロケット９９が停止すると、上昇通路９３内の遊技球の重量が回転スプロケット９９に対して逆転方向に加わるが、回転スプロケット９９が僅かに逆転したときに、図１５、図１７に示すように回転スプロケット９９の球捕捉部１００内に入った遊技球が入口部１０５の下手側の段差部１０８に当接するため、これによって回転スプロケット９９のそれ以上の逆転を阻止できる。従って、回転スプロケット９９の逆転を阻止するブレーキ等の手段を別途設ける必要もない。
【０１０３】
回転スプロケット９９の単位時間当たりの遊技球の移送数は、発射手段５３の単位時間当たりの遊技球の発射数よりも大であり、移送手段８７が遊技盤２を通過して回収手段８６に回収された遊技球をその速度で順次移送するため、各遊技球が遊技盤２を通過するときの通過時間に多少の時間差があっても、発射手段５３が遊技球を発射するに必要な数の遊技球を常に貯留手段８８に貯留することができる。
【０１０４】
移送手段８７の上昇案内通路１１１を遊技球が通過するときに、研磨手段５５の研磨体１１６により遊技球を研磨して遊技球の表面に付着した汚れ等が除去される。研磨手段５５では研磨駆動手段１１７の駆動により、駆動輪１１９と上昇案内通路１１１側の従動輪１２０とに巻き掛けられた研磨体１１６が、上昇案内通路１１１内に突出した状態で矢示方向に回転するので、上昇案内通路１１１を上昇方向に移動する遊技球の表面を研磨して汚れ等を除去することができる。
【０１０５】
貯留手段８８の各通路８８ａ〜８８ｄ内には研磨手段５５で研磨後の遊技球が略一列状に並んで貯留されており、発射手段５３が遊技球を発射すると、その発射動作に連動して球送り手段７７が作動し、貯留手段８８の最下手側の遊技球を発射レール７１上へと送る。
【０１０６】
以下、発射手段５３により遊技盤２の遊技領域７内へと遊技球を発射し、遊技盤２を通過した遊技球を循環手段５４の回収手段８６、移送手段８７、貯留手段８８を経て発射手段５３へと戻し、発射手段５３と遊技盤２との間で遊技球を循環させながらゲームを行う。
【０１０７】
このパチンコ機では、遊技盤２を通過した遊技球を遊技盤２の下側の回収手段８６により回収するようにしているが、遊技盤２の上部に発射手段５３、貯留手段８８、球送り手段７７があり、回収手段８６により回収された遊技球を、持ち上げ式の移送手段８７により貯留手段８８へと持ち上げながら移送し、その貯留手段８８内の遊技球を、発射手段５３の発射動作と連動させて球送り手段７７により発射手段５３へと１個ずつ送るようにしているので、遊技盤２の下側に循環手段５４を配置し、この循環手段５４の下側に発射手段５３を配置する従来のような位置関係を維持する必要がなく、その回収手段８６、発射手段５３の位置関係により遊技盤２の上下方向の位置が制約されることがない。このため遊技盤２側の条件に従って遊技盤２の上下幅を決定できるので、必要に応じて遊技盤２の遊技領域７を大にすることができる。
【０１０８】
遊技盤２を装着する場合には、ガラス扉４をヒンジ３廻りに前側へと開放し、遊技盤２のヒンジ３側一端を遊技盤装着枠５２内に挿入して係合部５８ｂに係合させた後、その係合部５８ｂ側を支点として遊技盤２の他端側を後方へと押圧して遊技盤装着枠５２内に押し込む。このとき上下一対の固定手段６３のコ字状の係合体６３ａを斜め前向きにセットしておく。すると遊技盤２の他端側が各固定手段６３の係合体６３ａのコ字状部分に入りながら、遊技盤２の押圧によって係合体６３ａが横向きの固定位置へと回動して、固定手段６３により遊技盤装着枠５２内の遊技盤２が固定される。従って、遊技盤２の遊技盤装着枠５２内への挿入と、その遊技盤装着枠５２内での遊技盤２の固定とを簡単な操作で容易に行うことができる。
【０１０９】
一方、係合部５８ｂ側を支点として遊技盤２を遊技盤装着枠５２内に押し込んで行くと、遊技盤２の裏側の盤側ジョイント部８３と遊技盤装着枠５２側の枠側ジョイント部８４との対応するコネクタ同士が嵌合して電気的に接続する。このため遊技盤２の装着時に、同時に盤側ジョイント部８３と枠側ジョイント部８４とを電気的に接続することができる。
【０１１０】
遊技盤２を取り外す場合には、固定手段６３の操作部を前側に操作すると、リンク機構６３ｃを介して係合体６３ａが逆方向に回動して遊技盤２の他端側が前側へと押圧され、遊技盤２が係合部５８ｂ側を支点として前側へと回動する。そして、固定手段６３による遊技盤２の押し出しが終了した後、遊技盤２を把持して遊技盤装着枠５２から取り出せば良い。
【０１１１】
この実施形態では、遊技盤２から排出された遊技球を発射手段５３に案内可能な循環経路Ｒを構成する循環手段５４と、この循環手段５４の循環経路Ｒの内壁面または当該循環手段５４内の遊技球表面の結露を低減する結露低減手段としての、循環手段５４に設けられた断熱部（待機通路９０ｂ、各通路８８ａ〜８８ｄ、上昇通路９３、上昇側案内部１０３及び通路カバー１１０の外側に形成された図示省略の断熱層）を備えているので、循環手段５４の循環経路Ｒの内壁面や当該循環手段５４内の遊技球表面の結露を低減することができ、遊技球自体が錆びることやその錆が循環手段内に落下することを低減でき、錆に起因する循環手段内の封入球の球詰まりを低減できる。
【０１１２】
また外枠１に遊技盤２を着脱自在に装着する一方、遊技盤２の前側にその遊技領域７を視認可能に配置されたガラス扉４を外枠１に開閉自在に枢着しているので、従来の前枠に装着する場合に比較して前枠自体を省略することができる。このため前枠用の材料が不要になると共に、構造的に簡素化することができる。
【０１１３】
また従来の前枠に遊技盤２を装着する場合には、前枠の支持強度、前枠の開閉動作の円滑性等から遊技盤２側の重量にも制約があるが、遊技島側に固定される外枠１に遊技盤装着枠５２を介して遊技盤２を装着しているため、支持強度、開閉動作等の点で遊技盤２の重量が大きな問題となることもない。
【０１１４】
更に外枠１は前側が開放する開口を有する筐体２９であり、この筐体２９内に遊技盤装着枠５２を設けて、この遊技盤装着枠５２に遊技盤２を前側から着脱自在に装着するようにしているので、外枠１を矩形枠状に構成する場合に比較して外枠１自体の強度を容易に確保することができる。また筐体２９の上下方向の中間に左右方向に架設された支持枠２８を備え、この支持枠２８の上側に遊技盤装着枠５２を設けることにより、支持枠２８により筐体２９を補強できその強度が向上すると共に、遊技盤装着枠５２に対して遊技盤２を容易に着脱することができる。
【０１１５】
発射手段５３と遊技盤２との間の循環経路Ｒ内に所定数の遊技球を封入して循環させながらゲームを行う循環封入式の場合、循環手段５４の回収手段８６、移送手段８７、貯留手段８８等にその遊技球が集中する。しかし、遊技球が循環手段５４に集中するにも拘わらず、その循環手段５４を外枠１を構成する筐体２９に備えることにより、封入された遊技球の多少に拘わらず循環手段５４を確実に支持することができる。また循環手段５４は回収手段８６、移送手段８７、貯留手段８８を備えているが、この循環手段５４を筐体２９に設けることにより、その回収手段８６、移送手段８７、貯留手段８８の夫々を比較的自由に配置できる。
【０１１６】
遊技盤２の遊技領域７の上部外側に切り欠き部６７を設ける一方、発射手段５３をその裏側で遊技盤装着枠５２を介して筐体２９側に設け、遊技盤２の着脱時に着脱側と反対側から発射手段５３が切り欠き部６７に対して相対的に出退自在であるため、遊技盤２の交換により機種変更する際にも、遊技盤２と一体に発射手段５３を廃棄する必要がなく無駄を解消できる。
【０１１７】
また発射手段５３は遊技盤２の前面と略面一状に配置された発射支持板７０を備え、この発射支持板７０の前面に発射レール７１と、発射レール７１上の遊技球を打撃して発射させる打撃槌７４とを備えているので、発射手段５３により遊技領域７へと遊技球を円滑に発射できる。しかも発射手段５３と遊技領域７との間に、遊技領域７と発射手段５３側とを仕切る仕切り部８ａがあるため、遊技領域７内に打ち込まれた遊技球の発射手段５３側への移動を防止できる。
【０１１８】
循環手段５４は遊技盤２及び発射手段５３よりも下側に配置された回収手段８６と、この回収手段８６により回収された遊技球を発射手段５３側へと移送する移送手段８７とを備えているため、遊技盤２の上下方向の寸法を長くした場合でも、回収手段８６から移送手段８７を経て発射手段５３へと遊技球を循環させることができる。従って、遊技盤２の遊技領域７を十分に確保することができる。
【０１１９】
循環手段５４は移送手段８７により移送された発射用の遊技球を貯留する貯留手段８８を備え、この貯留手段８８に貯留中の遊技球を、発射手段５３の発射動作に連動して球送り手段７７により発射手段５３へと１個ずつ送るようにしているので、発射手段５３を回収手段８６よりも上側に配置しても発射用の遊技球の球切れ等を容易に防止できる。
【０１２０】
また移送手段８７は貯留手段８８へと遊技球を案内する上昇通路９３と、回収手段８６の遊技球を上昇通路９３の下側へと送り込む回転移送体９４と、この回転移送体９４を回転駆動する移送駆動手段９６とを備えているため、遊技盤２の上部側に発射手段５３と貯留手段８８とを配置する等、発射手段５３及び貯留手段８８を回収手段８６に比較して十分高い位置に配置した場合にも、移送手段８７により確実に遊技球を移送することができる。
【０１２１】
図２１は本発明の第２の実施形態を例示する。この実施形態では、筐体２９内の遊技盤装着枠５２は図に示すように支持枠２８の下受け部５７と、各側板２３，２４の側受け部５８，５９とにより構成されており、上側が開放状となっている。発射手段５３は遊技盤装着枠５２とは別に筐体２９の側板２３，２４の内側に適宜ブラケット等を介して装着されている。他の構成は第１の実施形態と略同様である。
【０１２２】
このように筐体２９内に遊技盤装着枠５２を設けるに当たっては、その遊技盤装着枠５２により遊技盤２側を支持できる強度を確保できる場合には、上側を開放状に構成しても良い。従って、遊技盤装着枠５２は少なくとも遊技盤２の下側及び左右両側を支持できる構造であれば良い。この場合、側受け部５８，５９は遊技盤２の上下方向の寸法と略同一長さか、又は若干短い長さ程度が望ましいが、上下方向に複数箇所に分割して設けることも可能である。また発射手段５３は遊技盤装着枠５２を介さずに筐体２９に装着しても良い。
【０１２３】
図２２、図２３は本発明の第３の実施形態を例示する。この実施形態の外枠１は、左右の側板２３，２４と、両側板２３，２４の上下両端を左右に連結する天板２５及び底板２６と、両側板２３，２４の上下中間を左右に連結する支持枠２８とを備え、前後両側が開放状に構成されている。外枠１の前側にはガラス扉４、下部扉６がヒンジ３，５により開閉自在に枢着されている。他の構成は第１の実施形態と同様である。このように外枠１は、前後両側が開放状の矩形枠状に構成しても良い。
【０１２４】
図２４は本発明の第４の実施形態を例示する。図２４に示すように、この第４の実施形態の待機通路９０ｂ及び各通路８８ａ〜８８ｄの上部壁面、上昇通路９３の前側壁面及び後側壁面には、結露低減手段１４０としての通路方向に長い長孔１４１（本発明の連通部に相当する）が当該通路方向に沿って複数個形成されており、且つ第１の実施形態の断熱層を有しないものである。他の構成は第１の実施形態と同様である。このように待機通路９０ｂ、各通路８８ａ〜８８ｄ及び上昇通路９３に複数個の長孔１４１を形成しているので、循環手段５４内の空気の対流を良くすることができる。つまり、循環手段５４内の暖かい空気が長孔１４１を介して外部に排気され、循環手段５４内の空気が換気され易くなっており、循環手段５４の内壁面や当該循環手段５４内の遊技球表面の結露を低減することができ、遊技球自体が錆びることやその錆が循環手段５４内に落下することを低減でき、錆に起因する循環手段５４内の封入球の球詰まりを低減できる。
【０１２５】
図２４に示すように、待機通路９０ｂ及び各通路８８ａ〜８８ｄの上部壁面に長孔１４１を形成しているので、暖かい空気が上方に抜け出し易くなっており、また待機通路９０ｂ及び各通路８８ａ〜８８ｄの内部を進行する遊技球が、この長孔１４１に接触することが無く、遊技球の進行に影響を与えることがない。また長孔１４１は待機通路９０ｂ及び各通路８８ａ〜８８ｄのいずれの壁面に形成するようにしてもよい。また長孔１４１に替えて通路方向と直交する方向や斜め方向に向けた長孔を複数個形成しても良いし、長孔以外の円状孔、楕円状孔、十字状孔、多角状孔等の各種形状の孔を採用しても良いし、切り欠き部や網状形状（メッシュ状）等を採用しても良い。
【０１２６】
図２５は本発明の第５の実施形態を例示する。図２５に示すように、この第５の実施形態は、循環手段５４の内部空気を乾燥させる乾燥手段１５０を備えたものである。具体的には、待機通路９０ｂ、上昇通路９３及び各通路８８ａ、８８ｂは、乾燥剤１５１（例えばシリカゲル）を内部に収納した、取付面側が開口した収納部１５２を備えており、待機通路９０ｂ、上昇通路９３及び各通路８８ａ、８８ｂにおける、収納部１５２が設けられた箇所には遊技球よりも小さい複数個の小孔１５３が形成されたものである。
【０１２７】
ここで、収納部１５２の待機ケース９０への取り付けについて説明する。収納部１５２の内部に乾燥剤１５１を入れた状態で、収納部１５２の開口を待機ケース９０に近づけて、収納部１５２の下側角部を待機ケース９０の下受け部９０ｄに載せた状態でさらに押し込むと、待機ケース９０の係止爪９０ｅが弾性変形して最終的に収納部１５２の上端部に係止し、収納部１５２が待機ケース９０に取り付けられた状態となる。収納部１５２を取り外す際には、待機ケース９０の係止爪９０ｅを弾性変形させて引き抜けば良い。なお収納部１５２の上昇通路９３及び各通路８８ａ、８８ｂへの取り付け及び取り外しもこれと同様である。他の構成は第１の実施形態と同様である。
【０１２８】
このように待機通路９０ｂ、上昇通路９３及び各通路８８ａ、８８ｂの内部空気は、小孔１５３を介して収納部１５２に入り、当該収納部１５２の乾燥剤１５１によって水蒸気が吸収されて、乾燥空気となるので、循環手段５４の循環経路Ｒの内壁面や当該循環手段５４内の遊技球表面の結露を低減することができ、遊技球自体が錆びることやその錆が循環手段５４内に落下することを低減でき、錆に起因する循環手段５４内の封入球の球詰まりを低減できる。
【０１２９】
なお、第１の実施形態の断熱層を採用せず、且つ待機通路９０ｂ、上昇通路９３及び各通路８８ａ、８８ｂに、乾燥剤１５１（例えばシリカゲル）を内部に収納した収納部１５２を備えるようにしても良い。第５の実施形態では、複数個の小孔１５３を採用しているが、遊技球よりも小さい長孔、楕円状孔、十字状孔、多角状孔等の各種形状の複数個の孔を採用しても良いし、網状形状（メッシュ状）等の各種形状のものを採用しても良い。
【０１３０】
図２６〜図２８は本発明の第６の実施形態を例示する。図２６〜図２８に示すように、この第６の実施形態では、第１の実施形態における上昇通路９３の下端側に形成された開口９３ａ（図２５、図２７及び図２８参照）を通じて当該上昇通路９３の内部に送風する送風手段１６０を備えたものである。
【０１３１】
具体的には、送風手段１６０は、吸い込み口１６１ａから外気を吸い込んで吐き出し口１６１ｂから出力するブロア１６１（ファンなどを採用しても良い）と、この吐き出し口１６１ｂと上昇通路９３の開口９３ａとを連通する連結部１６２とを備えている。ブロア１６１は支持板１０４にネジ止めされている。次にブロア１６１の動作タイミングについて説明する。例えば、遊技ホールの営業開始の際においてパチンコ機の電源が投入されると、ブロア１６１による送風動作が開始され、営業時間中は常時送風動作を継続し、パチンコ機の電源がオフになると送風動作を停止する。なお、送風動作開始後から所定時間  （例えば１時間）が経過すると送風動作を停止するようにしてもよい。他の構成は第１の実施形態と同様である。
【０１３２】
このように送風手段１６０によって、上昇通路９３及び貯留手段８８の内部に送風することができるので、上昇通路９３及び貯留手段８８の内部を換気することができ、循環手段５４の循環経路Ｒのうち上昇通路９３から貯留手段８８までの内壁面や当該上昇通路９３から貯留手段８８までの内部にある遊技球表面の結露を低減することができ、遊技球自体が錆びることやその錆が循環手段５４内に落下することを低減でき、錆に起因する循環手段５４内の封入球の球詰まりを低減できる。
【０１３３】
また循環手段５４の待機ケース９０の受け口９０ａに向けて送風する送風手段（ファンやブロアなど）を別途に設けて、待機通路９０ｂの内部を換気するようにしても良い。例えば、図４に示す集球ケース２１の所定箇所（例えば遊技球や他の遊技部品と干渉しない箇所等）に送風手段を配置して排出口８０に向けて空気を送り出すようにしてもよい。また移送手段８７のカバー１１３の後面に形成された略円形の開口（つまり、回転スプロケット９９よりも大きい略円形の開口）及び上昇通路９３の下端側に形成された開口を閉塞するとともに、上昇通路９３側の送風手段１６０を排除する構成を採用しても良い。この場合には、待機ケース９０側の送風手段のみによって循環手段５４の全体を換気できる。また、待機ケース９０の受け口９０ａに替えて、待機ケース９０の上部壁面に遊技球よりも小さい複数個の孔（長孔、楕円状孔、十字状孔、多角状孔等の各種形状の複数個の孔を採用しても良い）で形成される入口部又は遊技球よりも小さい網目とした網状形状（メッシュ状）等の入口部を形成し、この入口部を通じて循環手段５４の内部に空気を送り込むように送風手段を設けるようにしても良い。
【０１３４】
図２９は本発明の第７の実施形態を例示する。図２９に示すように、この第７の実施形態では、第６の実施形態におけるブロア１６１の吸い込み口１６１ａ側にさらに乾燥空気発生手段１７０を設けることで構成される乾燥気体送風手段１７１を備えたものである。この乾燥空気発生手段１７０としては、前述した第５の実施形態の乾燥手段１５０が挙げられる。具体的には、乾燥剤１５１を内部に収納した収納部１５２をブロア１６１の吸い込み口１６１ａ側に配置した構成が挙げられる。
【０１３５】
収納部１５２の内部気体は乾燥剤１５１によって水蒸気が吸収されて乾燥空気となり、ブロア１６１が動作すると収納部１５２の後面に形成された空気入口部１５４から外気が吸い込まれ、この吸い込み空気の水蒸気が乾燥剤１５１によって吸収されて、乾燥空気が、収納部１５２の前面に形成された空気出口部１５５を介してブロア１６１の吸い込み口１６１ａから吸い込まれてこのブロア１６１の吐き出し口１６１ｂから上昇通路９３の下端側に形成された開口を通じて上昇通路９３及び貯留手段８８の内部に送風される。ブロア１６１の動作タイミングについては前述の第６の実施形態と同様である。他の構成は第１の実施形態と同様である。
【０１３６】
このように乾燥気体送風手段１７１によって、上昇通路９３及び貯留手段８８の内部に乾燥気体を送風することができるので、循環手段５４の循環経路Ｒのうち上昇通路９３から貯留手段８８までの内壁面や当該上昇通路９３から貯留手段８８までの内部にある遊技球表面の結露を低減することができ、遊技球自体が錆びることやその錆が循環手段５４内に落下することを低減でき、錆に起因する循環手段５４内の封入球の球詰まりを低減できる。
【０１３７】
なお、この第７の実施形態では、ブロア１６１の吸い込み口１６１ａ側に乾燥空気発生手段１７０を近接配置しているが、ブロア１６１の吸い込み口１６１ａ側と乾燥空気発生手段１７０との間に両者を連通接続する図示省略のホース部材（管、ダクト、パイプ、チューブ等）を設けるようにしても良い。また、収納部の内部に空気が通る蛇行通路が形成されており、この蛇行通路に亘って乾燥剤を配置したり、あるいは蛇行通路をその入口から出口までを複数個に区分けする区分けフィルター面毎に乾燥剤を配置したりするようにしても良い。この場合には、収納部の乾燥空気生成経路を当該収納部の外形大きさに比べて長くすることができ、乾燥空気の生成効率を高めることができる。また、前記のホース部材（図示省略）の内部にも乾燥剤を設けるようにして当該ホース部材の通路も利用して乾燥空気の生成に役立てるようにしても良い。
【０１３８】
図３０は本発明の第８の実施形態を例示する。図３０に示すように、この第８の実施形態では、前述した第１の実施形態の断熱層に替えて、循環手段５４を加温する加温手段１７５を備えたものである。
【０１３９】
具体的には、待機ケース９０、上昇通路９３及び貯留手段８８の外壁面箇所に遊技球進行方向に沿ってヒーター部１７６（例えば、シリコンゴムヒーター、アルミ箔ヒーターなど各種のヒーターが挙げられる）が配置されている。ヒーター部１７６は例えば１０〜４０℃の範囲内で加温可能であり、この実施形態では所定温度（例えば２０℃）に設定しており、循環手段５４及び内部の遊技球が冷えることを低減できるのみならず、循環手段５４を必要以上に加熱しないようにしている。
【０１４０】
ヒーター部１７６の動作タイミングについては前述の第６の実施形態と同様である。つまり、パチンコ機の電源が投入されるとヒーター部１７６の加温動作が開始し、営業中継続するか所定時間（例えば１時間）の間のみ加温動作を行う。他の構成は第１の実施形態と同様である。
【０１４１】
このように加温手段１７５（ヒーター部１７６）によって、待機ケース９０、上昇通路９３及び貯留手段８８の外壁が暖められるので、待機ケース９０、上昇通路９３及び貯留手段８８の内壁面やその内部に位置する遊技球が冷えることを低減でき、循環手段５４の循環経路Ｒのうち待機ケース９０、上昇通路９３及び貯留手段８８の内壁面やその内部の遊技球表面の結露を低減することができ、遊技球自体が錆びることやその錆が循環手段５４内に落下することを低減でき、錆に起因する循環手段５４内の封入球の球詰まりを低減できる。
【０１４２】
なお、ヒーター部１７６を循環手段５４の複数の壁面（例えば、前後あるいは左右の二壁面や隣接する二壁面、任意の三壁面、全ての壁面など）に配置したり、ヒーター部１７６を循環手段５４に螺旋状に巻き付けるように配置したりしても良い。
【０１４３】
図３１は本発明の第９の実施形態を例示する。図３１に示すように、この第９の実施形態では、循環手段５４内の遊技球表面の水滴を吸引する吸引手段１８０を備えたものである。具体的には、この吸引手段１８０は、案内部材９５の下側案内部１０１に形成された複数個の小孔１０１ｂと、これらの小孔１０１ｂに吸引口１８１ａが近接配置された吸引ノズル１８１と、この吸引ノズル１８１とチューブ１８２を介して接続された吸引ポンプ（図示省略）とで構成されている。図３１（ｂ）に示すように、下側案内部１０１上に位置する二点鎖線で示す遊技球の表面に結露が発生している場合に、当該遊技球の下方に位置する吸引ノズル１８１によって結露を吸引することができる。
【０１４４】
吸引ノズル１８１の動作タイミングについては前述の第６の実施形態と同様である。つまり、パチンコ機の電源が投入されると吸引ノズル１８１の吸引動作が開始し、営業中継続するか所定時間（例えば１時間）の間のみ吸引動作を行う。他の構成は第１の実施形態と同様である。案内部材９５における内壁面の最下位置箇所やそこに位置する遊技球表面に結露が発生している場合には、吸引ポンプが動作することで、それらの結露が吸引ノズル１８１によって吸引除去することができ、遊技球自体が錆びることやその錆が循環手段５４内に落下することを低減でき、錆に起因する循環手段５４内の封入球の球詰まりを低減できる。また、回転スプロケット９９の球捕捉部１００と下側案内部１０１との間に遊技球が位置しているので、吸引ノズル１８１による吸引動作によって遊技球が球捕捉部１００から離脱するようなことがない。また、吸引ノズル１８１による吸引動作は、回転スプロケット９９の動作中や動作停止中のいずれに行ってもよい。
【０１４５】
なお、前記吸引手段１８０に替えて、循環手段５４内の遊技球表面に気体を吹き当てる吐出手段（例えば吐出ノズル）を採用するようにしても良い。
【０１４６】
また、前記吸引手段１８０や吐出手段に替えて、研磨手段５５の研磨体１１６として水分を拭き取り可能なもの（例えば、レーヨン繊維を有する不織布等のように水分を拭き取り可能な不織布）採用するようにしても良い。この場合には、遊技球の表面の研磨のみならず、遊技球表面の結露を拭き取ることができる。循環手段５４内の遊技球表面に気体を吹き当てる手段（例えば吐出ノズル）を採用するようにしても良い。
【０１４７】
また、前述の第６〜８の実施形態では、遊技ホールの営業開始の際におけるパチンコ機の電源投入に連動して、ブロア１６１やヒーター部１７６が動作するようにしているが、蓄電池で動作するタイマーを備え、前述のブロア１６１やヒーター部１７６がパチンコ機の電源電圧ではなく商用電源に接続した構成としておき、冬季において遊技ホールの営業開始前の設定時刻（例えば早朝）をタイマーが検知すると、タイマーが商用電源をブロア１６１やヒーター部１７６に供給しこれらが動作するようにしても良い。
【０１４８】
図３２及び図３３は本発明の第１０の実施形態を例示する。図３２に示すように、この第１０の実施形態では、循環手段５４の内部における気温及び相対湿度を検出する気温・相対湿度検出手段１８５（例えば温湿度センサ）と、気温と相対湿度による空気の露点温度を記憶する記憶手段（記憶テーブル）と、循環手段５４の循環経路Ｒにおける待機ケース９０内の遊技球表面温度を検出する表面温度検出手段１８６（接触式または非接触式の表面温度センサ）と、気温・相対湿度検出手段１８５で検出された気温及び相対湿度に基づいて露点温度を求めて、表面温度検出手段１８６で検出された表面温度が露点温度又は当該露点温度よりも僅かに高い所定温度（露点温度よりも例えば１、２℃高い温度が挙げられる）に達した場合に、送風手段１６０、加温手段１７５又は乾燥気体送風手段１７１を動作させる制御手段を備えたものである。
【０１４９】
この制御手段としては、図２に示すように、電源基板ケース１３０内の電源基板、発射制御基板ケース１３１内の発射制御基板、賞球制御基板ケース１３２内の賞球制御基板、球貸制御基板ケース１３３内の球貸制御基板、あるいは、これら以外の制御基板が挙げられる。また、当該制御基板は、記憶テーブルをＲＯＭあるいはＲＡＭなどのメモリに記憶している。
【０１５０】
図３３に示すように、冬季においては遊技ホールの室内温度は１８〜２３℃、相対湿度は４０〜６０％であることが多い。例えば、気温・相対湿度検出手段１８５により循環手段５４の内部における気温及び相対湿度が２０℃、５０％であると検出された場合には、記憶手段に記憶された図３３に示す記憶テーブルに基づいて気温（２０℃）と相対湿度  （５０％）による空気の露点温度が９．３℃であると求められ、表面温度検出手段１８６により検出された待機ケース９０内の遊技球表面温度が、露点温度（９．３℃）またはそれよりも僅かに高い温度（例えば１℃、２℃高い温度）に達した場合には、第６の実施形態の送風手段１６０（図２６参照）、第８の実施形態の加温手段１７５（図３０参照）又は第７の実施形態の乾燥気体送風手段１７１（図２９参照）を動作させる。他の構成は第１の実施形態と同様である。
【０１５１】
この場合には、待機ケース９０内の遊技球表面温度が、露点温度９．３℃又はそれよりも１℃、２℃高い温度（１０．３℃や１１．３℃）に達すると、案内部材９５における内壁面の最下位置箇所やそこに位置する遊技球表面に結露発生の可能性が高まるため、送風手段１６０、加温手段１７５又は乾燥気体送風手段１７１が動作し、循環手段５４の内部の遊技球表面に結露が発生することを低減でき、遊技球自体が錆びることやその錆が循環手段５４内に落下することを低減でき、錆に起因する循環手段５４内の封入球の球詰まりを低減できる。
【０１５２】
なお、循環手段５４内の遊技球表面温度に替えて循環手段５４の内壁面温度を検出し、この検出した内壁面温度が露点温度またはそれよりも僅かに高い所定温度に達した場合には、前述の送風手段１６０、加温手段１７５又は乾燥気体送風手段１７１を動作させるようにしても良い。例えば、循環手段５４を構成する待機ケース９０、上昇通路９３及び貯留手段８８が金属製、ガラス製である場合や通路壁面の一部に金属又はガラスが用いられている場合には、当該循環手段５４の内壁面に結露発生の可能性が高まるので当該内壁面温度を検出することが望ましい。例えば、ガラスの熱伝導率は１であり、金属の熱伝導率は１５以上であるため、合成樹脂（熱伝導率が０．４以下）成形品に比べて結露の発生が懸念されるからである。
【０１５３】
また、第１０の実施形態では、循環手段５４の内部における気温及び相対湿度を検出する気温・相対湿度検出手段１８５を設けているが、この気温・相対湿度検出手段１８５を用いず、循環手段５４内の遊技球表面温度又は循環手段５４の内壁面温度を検出する表面温度検出手段１８６のみを用いて、表面温度検出手段１８６で検出した表面温度が警戒温度（室内温度よりも所定温度（例えば８℃）程度低い温度である１２℃）に達すると、前述の送風手段１６０、加温手段１７５又は乾燥気体送風手段１７１を動作させるようにしても良い。前記制御基板のＲＡＭは、警戒温度をプリセットデータ領域に記憶しており、後述する変更後の警戒温度を書き換え可能データ領域に記憶可能である。前記の警戒温度（１２℃）は、図３３に示す記憶テーブルにおいて室内温度２０℃で相対湿度は４０〜６０％の範囲内において最も高い露点温度が１２℃であることから定められたものである。この場合には、図３２の気温・相対湿度検出手段１８５を用いる場合に比べて精度は低いが、簡易な構成で結露の低減を図ることができる。
【０１５４】
なお、前記の警戒温度を、パチンコ機の納品先である遊技ホールが存する地域毎に設定変更するようにしてもよい。例えば、納品先の遊技ホールが存する地域の過去数年分（例えば５年分）の気象データに基づいて、相対湿度の範囲を特定し（例えば、度数分布表、ヒストグラム又は標準偏差からその範囲を特定してもよい）、図３３に示す記憶テーブルを用いてその特定した相対湿度の範囲内における遊技ホールの営業時間の設定室内温度  （例えば２０℃であるとする）において最も高い露点温度を警戒温度としてメーカー側において予め設定変更してもよいし、遊技ホールにおいてホール関係者が変更入力する構成としてもよい。
【０１５５】
また、遊技ホールの営業開始前におけるパチンコ機の電源投入時点や営業中において、表面温度検出手段１８６で検出した表面温度が、露点温度又は警戒温度である場合には、発射手段による遊技球の発射を禁止する（発射ができない状態にする）ようにしても良い。この場合には、遊技球表面の結露が発射手段５３や遊技盤２に拡散することを防止できる。また、発射禁止とともに、あるいは発射禁止に替えて、パチンコ機の警告ランプやアラーム（警告音）による警告動作をしたり、ホールコンピュータに通報したりしてもよい。
【０１５６】
また、電源基板ケース１３０、発射制御基板ケース１３１、賞球制御基板ケース１３２、球貸制御基板ケース１３３又はこれら以外の制御基板ケースに形成された開口と、ブロア１６１の吸い込み口１６１ａとを連通する図示省略の連通部材（管、ダクト、パイプ、チューブ等）を設け、ケース内の空気を循環手段５４の内部に送風するようにしても良い。この場合には、循環手段５４の内部を換気できるだけでなく、ケース内の制御基板における電子部品（ＣＰＵやＭＰＵ等）を冷却することができる。
【０１５７】
図３４及び図３５は本発明の第１１の実施形態を例示する。図３４及び図３５に示すように、この第１１の実施形態では、筐体２９の支持枠２８の下側に発射手段５３が装着される等、遊技盤２の下部側又は遊技盤２の下側に発射手段５３が配置されており、この発射手段５３から遊技球を遊技盤２のガイドレール１７に沿って遊技領域７へと発射するようになっている。循環手段５４の回収手段８６、移送手段８７は支持枠２８の下側等に装着されている。
【０１５８】
移送手段８７は第１の実施形態と同様に回転スプロケット式であり、回収手段８６からの遊技球を回転スプロケット９９により移送しながら、上昇通路９３から傾斜通路９３ｂを介して発射手段５３の裏側に位置する皿状の貯留手段８８へと移送するようになっている。他の構成は第１の実施形態と同様である。貯留手段８８は、例えば、平面視で傾斜通路９３ｂ以外の箇所が透明カバー８８ｅによって覆われた構成としており、透明カバー８８ｅを介して遊技球が視認可能となっている。
【０１５９】
第１１の実施形態に例示するように、発射手段５３を遊技盤２の下側等に設ける場合にも、回収手段８６、移送手段８７を、支持枠２８等を介して筐体２９側に設けることができる。また貯留手段８８は透明カバー８８ｅを採用せずに上方が開放した開放状に構成しても良い。この場合には、貯留手段８８に遊技球を入れることにより、循環経路Ｒ中に遊技球を補充することもできる。
【０１６０】
また、第１１の実施形態では、第１の実施形態と同様に、循環手段５４を構成する待機ケース９０、貯留手段８８、上昇通路９３等の外側各壁面に、断熱部を形成しているので、第１１の実施形態のような循環手段５４においても、当該循環手段５４の内壁面や当該循環手段５４内の遊技球表面の結露を低減することができ、遊技球自体が錆びることやその錆が循環手段内に落下することを低減でき、錆に起因する循環手段内の封入球の球詰まりを低減できる。また、断熱部に替えてあるいは共に、第４の実施形態の長孔１４１（連通部）、第５の実施形態の乾燥手段１５０、第６の実施形態の送風手段１６０、第７の実施形態の乾燥気体送風手段１７１、第８の実施形態の加温手段１７５、第９の実施形態の吸引手段１８０及び第１０の実施形態の少なくとも一つを組み合わせたりしても良い。
【０１６１】
図３６及び図３７は本発明の第１２の実施形態を例示する。図３６及び図３７に示すように、この第１２の実施形態では、循環手段５４を外形が箱状でユニット化したものである。
【０１６２】
具体的には、第１２の実施形態の循環手段５４は、例えば合成樹脂成型品からなる正面側ケース体（前壁部材）及び背面側ケース体（後壁部材）を合わせることでその内部空間に遊技球案内通路５４ａを形成するものであり、ネジなどの締結部品によって支持板１０４に取り付けられている。なお、係止爪及び被係止部からなる係止機構によって循環手段５４を支持板１０４に取り付ける構成としても良い。例えば、正面側ケース体の内面（背面側ケース体と対向する面）側箇所に、遊技球案内通路５４ａの天面用壁部及び底面用壁部を突出形成し、この天面用壁部及び底面用壁部の先端が背面側ケース体の内面（正面側ケース体と対向する面）側箇所に近接（又は当接）するように正面側ケース体と背面側ケース体とを合わせることで遊技球案内通路５４ａを形成している。遊技球案内通路５４ａは、図３６に示すように正面視で右側に下り傾斜した後に左側に下り傾斜した略くの字形状とした通路であり、その上流端箇所に、集球ケース２１の排出口８０から排出された遊技球を受ける受け口９０ａが形成され、その下流端箇所に、球送り手段７７に連通する排出口が形成されている。球送り手段７７は、遊技球案内通路５４ａから供給される遊技球を１個ずつ発射支持板７０の球送り口７０ａを経て、遊技球の発射後に発射レール７１上の発射位置へと送る。遊技球案内通路５４ａを蛇行通路やＳ字状通路など種々の形状の通路としても良いし、遊技球案内通路５４ａの一部に遊技球を補充する補充口９０ｃを備えたり、ファール球を受けるファール球回収口を備えたりしても良い。また、第１２の実施形態の循環手段５４に、移送手段８７、研磨手段５５、上昇通路９３などの少なくとも一つを設けるようにしてもよい。
【０１６３】
また、第１２の実施形態では、第１の実施形態と同様に、循環手段５４の外壁面に、断熱部を形成しているので、第１２の実施形態のような循環手段５４においても、当該循環手段５４の内壁面や当該循環手段５４内の遊技球表面の結露を低減することができる。また、断熱部に替えてあるいは共に、第４の実施形態の長孔１４１（連通部）、第５の実施形態の乾燥手段１５０、第６の実施形態の送風手段１６０、第７の実施形態の乾燥気体送風手段１７１、第８の実施形態の加温手段１７５、第９の実施形態の吸引手段１８０及び第１０の実施形態の少なくとも一つを組み合わせたりしても良い。
【０１６４】
図３８及び図３９は本発明の第１３の実施形態を例示する。図３６及び図３７に示すように、第１３の実施形態の循環手段５４は、遊技盤２から排出された遊技球を、遊技者が触れられないように透明カバー１９０ａで覆われた皿部１９０に移送し、この皿部１９０から発射手段５３に循環させるものである。具体的には、循環手段５４は、待機ケース９０、搬送装置１９１及び皿部１９０を備えている。
【０１６５】
搬送装置１９１は、表ケースと裏ケースとを一体に組み合わせた箱状ケース体１９２と、この箱状ケース体１９２の内部下部側箇所に配設された、移送駆動手段９６によって回転される回転移送体９４と、箱状ケース体１９２の内部で回転移送体９４の上方箇所に配設された第１従動体１９３と、箱状ケース体１９２の内部で第１従動体１９３の上方箇所に配置された第２従動体１９４とを備えている。
【０１６６】
具体的には、この搬送装置１９１は、図３９に示すように、箱状ケース体１９２の右側下部箇所に形成された取り込み口１９２ａに待機ケース９０の待機通路９０ｂからの遊技球が入力され、移送駆動手段９６によって回転移送体９４が回転（図３９では時計回りに回転）することで取り込み口１９２ａに位置する球捕捉部１００毎に遊技球が１個捕捉され、回転移送体９４の球捕捉部１００に捕捉された遊技球が時計回りに移動して第１従動体１９３の方に搬送される。
【０１６７】
そして、第１従動体１９３の下側の球捕捉部１００と回転移送体９４の球捕捉部１００とで遊技球が捕捉された状態となることで、回転移送体９４の回転に従動して第１従動体１９３が反時計回りに回転するとともに第１従動体１９３の下側で新たに回転移送体９４に対向する球捕捉部１００と回転移送体９４の球捕捉部１００とで遊技球が次々と捕捉された状態となり、第１従動体１９３の球捕捉部１００に捕捉された遊技球が反時計回りに移動して第２従動体１９４の方に搬送される。
【０１６８】
そして、第２従動体１９４の下側の球捕捉部１００と第１従動体１９３の球捕捉部１００とで遊技球が捕捉された状態となることで、第１従動体１９３の回転に従動して第２従動体１９４が時計回りに回転するとともに第２従動体１９４の下側で新たに第１従動体１９３に対向する球捕捉部１００と第２従動体１９４の球捕捉部１００とで遊技球が次々と捕捉された状態となり、第２従動体１９４の球捕捉部１００に捕捉された遊技球が時計回りに移動して、第２従動体１９４の上方に搬送され、箱状ケース体１９２の右側上部箇所に形成された出力口１９２ｂから皿部１９０に排出される。皿部１９０に貯留された遊技球は通路部を通って貯留手段８８に案内され、発射手段５３によって遊技盤２に向けて発射される。
【０１６９】
なお、図３９に示すように回転移送体９４の上部から時計回りで右横までの範囲箇所が箱状ケース体１９２に近接し（例えば、球捕捉部１００の最窪み箇所から箱状ケース体１９２までの距離が遊技球の半径程度の距離としている）、当該範囲箇所に遊技球が位置できない構成としているため、球捕捉部１００で捕捉した遊技球を第１従動体１９３に案内することができる。これと同様に、第１従動体１９３の左半分箇所と、第２従動体１９４の右斜め上箇所から時計回りで右斜め下箇所とが、箱状ケース体１９２にそれぞれ近接し、当該範囲箇所に遊技球が位置できない構成としている。
【０１７０】
なお搬送装置１９１は、遊技盤２の可変入賞手段１１、特別図柄始動手段１２または普通入賞手段１３への入賞に基づく賞球数、球貸ボタン４６の操作に基づく球貸し数だけ上皿に遊技球を供給するように動作するようにしてもよい。
【０１７１】
また、搬送装置１９１に替えて、第１の実施形態の移送手段８７及び上昇通路９３を採用するようにしても良い。
【０１７２】
また、第１３の実施形態では、第１の実施形態と同様に、循環手段５４の外壁面に、断熱部を形成しているので、第１３の実施形態のような循環手段５４においても、当該循環手段５４の内壁面や当該循環手段５４内の遊技球表面の結露を低減することができる。また、断熱部に替えてあるいは共に、第４の実施形態の長孔１４１（連通部）、第５の実施形態の乾燥手段１５０、第６の実施形態の送風手段１６０、第７の実施形態の乾燥気体送風手段１７１、第８の実施形態の加温手段１７５、第９の実施形態の吸引手段１８０及び第１０の実施形態の少なくとも一つを組み合わせたりしても良い。
【０１７３】
図４０〜図４２は本発明の第１４の実施形態を例示する。図４０に示すように、遊技盤２は、その遊技領域７の右下箇所に、普通入賞手段１３及び球移動演出装置２０１を有する装飾遊技部品２００が配設されている。
【０１７４】
図４１及び図４２に示すように、この装飾遊技部品２００の普通入賞手段１３に入球した遊技球は、案内通路２０２を通って遊技盤２の裏面に位置する集球ケース２１の排出口８０の方に案内される。球移動演出装置２０１は、この装置内部でのみ封入球を循環させるものであり、その前面側に形成された透明な視認窓２０３を介して、この装置内部で例えば右上がりに移動する封入球を遊技者に見せることができる。例えば、球移動演出装置２０１は、画像表示部９ｂにおける演出図柄９ｃ〜９ｅの図柄変動演出や大当たり演出等に合わせて、装置内部に封入した封入球を移動させる演出を行う。
【０１７５】
具体的には、球移動演出装置２０１は、封入球を移動可能に封入する封入空間が内部形成された本体部２０４と、この本体部２０４に配設され、封入空間内において封入球を循環移動させる球移動手段２０５と、この球移動手段２０５を駆動する駆動モータ２０６( 駆動手段) と、封入空間内において封入球を所定数( 実施例では１個) ずつ球移動手段２０５へ向けて送出する球送り装置２０７（ソレノイド）とを備え、封入空間内で封入球を循環移動させることで、封入球の移動による演出を行うことができる。
【０１７６】
球移動手段２０５は、封入球を移動させるための螺旋状に延在する突出片２１０ａが外周面に形成された回動軸部材２１０と、この回動軸部材２１０の下端部を軸支する軸受け部２１１とを備え、回動軸部材２１０の上端部が駆動モータ２０６に連結されて本体部２０４に回転可能に支持されている。ここで、回動軸部材２１０は、水平面に対して所定角度傾斜した傾斜姿勢で本体部２０４に支持されている。また、突出片２１０ａの間に螺旋状に延在する溝部（螺旋状溝部）に沿って摺動可能な状態で封入球が接触するよう構成されており、回動軸部材２１０の回転に伴って封入球が軸方向に移動される。
【０１７７】
本体部２０４は、遊技球を案内する通路であって前後方向に貫通して前方に下り傾斜した第１通路部２０４ａと、この第１通路部２０４ａからの遊技球を右上がりに移動させる右上がり通路部２０４ｂと、この右上がり通路部２０４ｂの上端に達した遊技球を背後側に案内する通路であって前後方向に貫通して後方に下り傾斜して第１通路部２０４ａに連通するように第１通路部２０４ａに向けて下り傾斜した第２通路部２０４ｃとを備えている。
【０１７８】
図４２に示すように、球送り装置２０７は、パルス通電されることで可動片２０７ａがそのパルス通電期間のみ内部に吸引され、第２通路部２０４ｃに貯留されている最下流の封入球に当接させている塞き止め片２０７ｂの先端側が当該期間だけ遊技球から離れてその最下流球が流下し、新たな最下流球に塞き止め片２０７ｂの先端側が当接するように戻り、流下が止められているので、最下流の遊技球を１個ずつ球移動手段２０５へ向けて送出することができる。
【０１７９】
また、球移動演出装置２０１は、普通入賞手段１３や循環手段５４とは非接続で独立した構成としているので、この装置内部でのみ封入球を循環させることができる。よって、遊技領域７に打ち込まれた遊技球を利用する必要がなく、任意のタイミングで封入球による移動演出を行うことができる。
【０１８０】
また、第１４の実施形態では、第１の実施形態と同様に、装飾遊技部品２００の外壁面に、断熱部を形成しているので、第１４の実施形態のような装飾遊技部品２００においても、当該装飾遊技部品２００の内壁面や当該装飾遊技部品２００内の封入球表面の結露を低減することができる。また、断熱部に替えてあるいは共に、第４の実施形態の長孔１４１（連通部）、第５の実施形態の乾燥手段１５０、第６の実施形態の送風手段１６０、第７の実施形態の乾燥気体送風手段１７１、第８の実施形態の加温手段１７５、第９の実施形態の吸引手段１８０及び第１０の実施形態の少なくとも一つを組み合わせたりしても良い。
【０１８１】
図４３〜図４４は本発明の第１５の実施形態を例示する。第１５の実施形態では、図４３及び図４４に示すように、平面視で遊技盤２の裏面側位置の回収手段８６で回収された遊技球を発射手段５３の前側位置の球送り手段７７に循環する循環手段５４が配設されている。
【０１８２】
具体的には、循環手段５４は、図４４に示すように平面視において、待機通路９０ｂの下流側部分であって遊技盤２よりも前側に位置するように屈曲して下流側に向けて下り傾斜する第１屈曲通路部９０ｆと、遊技盤２よりも前側に位置するように側板２４に取り付けられた支持板１０４と、この支持板１０４の前面側に位置する移送手段８７及び上昇通路９３と、この上昇通路９３の遊技球案内出力側部分であってさらに前方に屈曲して当該出力側に向けて下り傾斜する第２屈曲通路部９３ｃと、第２屈曲通路部９３ｃの出力口からの遊技球を受けるように当該出力口の下方に開口受け部８８ｆの少なくとも一部が配設された貯留手段８８と、発射手段５３の前側位置に配設されて貯留手段８８から遊技球を受ける球送り手段７７と、を備えている。
【０１８３】
また、貯留手段８８及び球送り手段７７は板状部材２１５の前面にそれぞれ取り付けられている。例えば、貯留手段８８及び球送り手段７７のそれぞれの被係止部（図示省略）に板状部材２１５の係止爪（図示省略）を係止させることで取り付けられている。なお、ネジ止めや嵌合等による取り付けでも良い。
【０１８４】
また、発射手段５３を支持する発射支持板７０は、正面視で右側箇所に板状部材２１５を開閉可能に支持する開閉支持部２１７を備えている。この開閉支持部２１７としては、例えば、発射支持板７０の右端下半分箇所で前方に突出した突出片７０ｂの上面部に上向きに突出形成されたピン（図示省略）を、板状部材２１５の右側箇所に前方に突出した突出片２１６に形成された挿入孔（図示省略）に挿入するようにして、発射支持板７０の突出片７０ｂの上面部に板状部材２１５の突出片２１６を載置することで、板状部材２１５を発射支持板７０に対して開閉可能に支持するものが挙げられる。また、板状部材２１５は、正面視で左側箇所に設けられた止め具（図示省略）により、当該板状部材２１５を発射支持板７０に対して閉状態を維持することができる。止め具としては、例えば、パネルラッチ（蓋止め部品）、ストッパー、錠前など種々ものを採用してもよい。また、止め具の操作部を押すと止め状態となり、引くと解除状態となるワンタッチ式止め具を採用しても良い。なお、第１５の実施形態では、発射手段５３の前面側から遊技球が供給されるため、発射支持板７０は球送り口７０ａを有していない。
【０１８５】
図４４に示すように、例えば板状部材２１５の開閉軸の延長線上に第２屈曲通路部９３ｃの出力口が位置しているので、板状部材２１５が開状態となっても、貯留手段８８の開口受け部８８ｆは第２屈曲通路部９３ｃの出力口の下方に位置している。よって、板状部材２１５の開状態又は閉状態のいずれであっても、第２屈曲通路部９３ｃからの遊技球を確実に貯留手段８８の開口受け部８８ｆで受け取ることができる。
【０１８６】
なお、第２屈曲通路部９３ｃの出力口を下向きに延出した円筒出力口（図示省略）とし、貯留手段８８の開口受け部８８ｆを円筒状受け部（図示省略）とし、円筒出力口の内側又は外側に円筒状受け部が同一軸心として回動可能に嵌合させた構成（二重筒構造）としてもよい。この場合には、第２屈曲通路部９３ｃから貯留手段８８に遊技球が案内される際に遊技球が筒内を通って案内されるため、遊技球がこぼれ落ちることがない。
【０１８７】
また、球送り手段７７は、発射手段５３への遊技球を塞き止めて１個ずつ送り出す機構であることから、板状部材２１５を開状態にしても、発射手段５３に遊技球を供給するための供給口から遊技球が落下しないようになっている。なお、板状部材２１５が開状態となると、球送り手段７７の供給口を、少なくとも遊技球を通過させない程度に塞ぐ構成としても良い。
【０１８８】
また、第１５の実施形態では、第１の実施形態と同様に、循環手段５４の外壁面に、断熱部を形成しているので、第１５の実施形態のような循環手段５４においても、当該循環手段５４の内壁面や当該循環手段５４内の遊技球表面の結露を低減することができる。また、断熱部に替えてあるいは共に、第４の実施形態の長孔１４１（連通部）、第５の実施形態の乾燥手段１５０、第６の実施形態の送風手段１６０、第７の実施形態の乾燥気体送風手段１７１、第８の実施形態の加温手段１７５、第９の実施形態の吸引手段１８０及び第１０の実施形態の少なくとも一つを組み合わせたりしても良い。
【０１８９】
また、循環手段５４の内部結露に限らず、前記基板ケース１３０〜１３３等の内部結露を防止又は低減するために、これらの基板ケースの少なくとも一つの基板ケースについて、前記の結露低減手段（断熱部、長孔１４１（連通部）、乾燥手段１５０、送風手段１６０、乾燥気体送風手段１７１、加温手段１７５、吸引手段１８０など）を採用しても良い。
【０１９０】
また、第１〜第１５の実施形態のうちいくつかを組み合わせたり、ある実施形態の一部の構成を他の実施形態（いくつかの実施形態を組み合わせたものを含む）に組み合わせたり、ある実施形態の一部の構成を他の実施形態における一部の構成と組み合わせたり、これらをそれ以外の実施形態に組み合わせたりしても良い。
【０１９１】
以上、本発明の各実施形態について詳述したが、本発明はこの各実施形態に限定されるものではなく、本発明の趣旨を逸脱しない範囲で種々の変更が可能である。例えば、各実施形態では、筐体２９等の外枠１に遊技盤装着枠５２を介して遊技盤２を装着する弾球遊技機として、循環封入式のパチンコ機を例示しているが、循環封入式のパチンコ機以外の各種の弾球遊技機においても同様に実施することが可能である。
【０１９２】
また循環封入式の場合にも、発射手段５３、循環手段５４は遊技盤２の下部又は遊技盤２の下側に対応して外枠１に設けても良い。循環封入式以外の場合にも、発射手段５３は遊技盤２の下部又は遊技盤２の下側に対応して外枠１に設けても良い。
【０１９３】
更に実施形態では、外枠１の遊技盤装着枠５２に対して前側から遊技盤２を着脱自在に装着するように構成しているが、外枠１の遊技盤装着枠５２に対して裏側から遊技盤２を装着するようにしても良い。
【０１９４】
外枠１と、この外枠１の前側に開閉自在に枢着された前枠１３７とを備えた遊技機本体１３６において、前枠１３７に遊技盤装着枠５２を介して装着された遊技盤２と発射手段５３とを設ける場合にも、回収手段８６、移送手段８７を含む循環手段５４を外枠１に設けるようにしても良い。
【０１９５】
遊技領域７の外側で遊技盤２に切り欠き部６７又は開口部１３５を設けて、遊技機本体１３６側の発射手段５３がその切り欠き部６７又は開口部１３５を経て出退するように構成する場合、その切り欠き部６７等の位置は遊技盤２の上部の他、遊技盤２の上下方向の中間部、又は遊技盤２の下部等でも良い。また発射手段５３と遊技領域７との間の仕切り部８ａは、発射支持板７０の前面に設けても良い。
【０１９６】
遊技島に固定される外枠１は、前側に開放する開口を有する筐体２９の他、矩形枠状のものでも良い。また筐体２９等を含む外枠１により遊技機本体１３６を構成する他、遊技機本体１３６は矩形枠状の外枠１と、この外枠１の前側に開閉自在に枢着される前枠１３７とにより構成しても良い。その場合、遊技盤装着枠５２及び遊技盤２は外枠１に設ける以外に、遊技機本体１３６の一部を構成する前枠１３７に設けても良い。その場合の外枠１は筐体２９でも良いし、矩形枠状のものでも良い。
【０１９７】
遊技盤２は遊技盤装着枠５２が筐体２９内にある場合には、遊技盤装着枠５２に対して前側から装着することになるが、遊技盤装着枠５２が前枠１３７にある場合には遊技盤２は前後の何れから装着するようにしても良い。遊技領域７を視認可能に配置されるガラス扉４等の開閉扉は、前枠１３７がある場合には前枠１３７に枢着すれば良い。筐体２９内に左右方向に架設された支持枠２８は省略しても良いし、支持枠２８と遊技盤装着枠５２とは別々に設けても良い。遊技盤装着枠５２は遊技盤２を安定的に装着できる構造であればよく、実施形態に例示の構造に限定されるものではない。
【０１９８】
実施形態では遊技盤２と発射手段５３との間で遊技球を循環させる循環式のパチンコ機について例示しているが、循環式のアレンジボール機の他、遊技盤２を通過した遊技球を機外に排出する非循環式パチンコ機、アレンジボール機を含む各種の弾球遊技機に採用することも可能である。
【０１９９】
また循環式の弾球遊技機において、循環手段５４を外枠１側に設ける場合、その循環手段５４を外枠１に直接固定しても良いし、ブラケットその他の適宜手段を介して外枠１に固定しても良い。例えば実施形態に例示するように回収手段８６と貯留手段８８と移送手段８７とを備えた循環手段５４の場合、回収手段８６は支持枠２８に、貯留手段８８は遊技盤装着枠５２の上部側に、移送手段８７の下部側は支持枠２８に、移送手段８７の上昇通路９３は遊技盤装着枠５２の側部側に夫々適宜手段を介して固定しても良いし、他の箇所に固定しても良い。
【０２００】
循環手段５４の回収手段８６と貯留手段８８は、発射手段５３の位置に応じて何れを上に配置しても良い。実施形態のように発射手段５３が遊技機本体１３６の上部側にある場合には、その発射手段５３に対応して貯留手段８８が回収手段８６よりも上側に配置することになるが、発射手段５３が遊技機本体１３６の下部側にある場合には、貯留手段８８を回収手段８６よりも下側に配置しても良い。貯留手段８８を回収手段８６よりも下側に配置した場合、移送手段８７は遊技球の転がりにより回収手段８６から貯留手段８８へと移送するように構成すれば良い。
【０２０１】
発射手段５３は遊技機本体１３６の上下方向の最適位置に配置すれば良い。発射手段５３から遊技領域７までの遊技球の案内経路を短くする場合には、発射手段５３を遊技盤２の上下幅内に配置するか、又は極力遊技盤２の近傍に配置することが望ましい。発射手段５３が遊技盤２の上下幅内か又はその近傍にある場合には、貯留手段８８、移送手段８７の上昇通路９３等は遊技盤２の裏側に配置することになる。
【０２０２】
回収手段８６から貯留手段８８へと遊技球を上昇させる上昇式の移送手段８７には、実施形態のような構成のスプロケット式を採用すれば、回収手段８６から貯留手段８８までの揚程を大にできる利点があるが、他のスクリュー式、ベルトコンベア式、バケットコンベヤ式等を採用しても良い。また移送手段８７は待機中の遊技球が所定数以上となる都度、その待機中の遊技球の全てを移送するまで作動する他、入口部１０５に遊技球が到達する都度に作動して移送するようにしても良いし、常時作動するようにしても良い。常時作動する場合の移送手段８７は、スクリュー式、ベルトコンベア式、バケットコンベヤ式が望ましい。
【符号の説明】
【０２０３】
２  遊技盤
７  遊技領域
５３  発射手段
５４  循環手段
１４０  結露低減手段
１４１  長孔（連通部）
１５０  乾燥手段
１６０  送風手段
１７５  加温手段
１７１  乾燥気体送風手段
１８５  気温・相対湿度検出手段
１８６  表面温度検出手段
【図１】
2013106766.tif 000003
【図２】
2013106766.tif 000004
【図３】
2013106766.tif 000005
【図４】
2013106766.tif 000006
【図５】
2013106766.tif 000007
【図６】
2013106766.tif 000008
【図７】
2013106766.tif 000009
【図８】
2013106766.tif 000010
【図９】
2013106766.tif 000011
【図１０】
2013106766.tif 000012
【図１１】
2013106766.tif 000013
【図１２】
2013106766.tif 000014
【図１３】
2013106766.tif 000015
【図１４】
2013106766.tif 000016
【図１５】
2013106766.tif 000017
【図１６】
2013106766.tif 000018
【図１７】
2013106766.tif 000019
【図１８】
2013106766.tif 000020
【図１９】
2013106766.tif 000021
【図２０】
2013106766.tif 000022
【図２１】
2013106766.tif 000023
【図２２】
2013106766.tif 000024
【図２３】
2013106766.tif 000025
【図２４】
2013106766.tif 000026
【図２５】
2013106766.tif 000027
【図２６】
2013106766.tif 000028
【図２７】
2013106766.tif 000029
【図２８】
2013106766.tif 000030
【図２９】
2013106766.tif 000031
【図３０】
2013106766.tif 000032
【図３１】
2013106766.tif 000033
【図３２】
2013106766.tif 000034
【図３３】
2013106766.tif 000035
【図３４】
2013106766.tif 000036
【図３５】
2013106766.tif 000037
【図３６】
2013106766.tif 000038
【図３７】
2013106766.tif 000039
【図３８】
2013106766.tif 000040
【図３９】
2013106766.tif 000041
【図４０】
2013106766.tif 000042
【図４１】
2013106766.tif 000043
【図４２】
2013106766.tif 000044
【図４３】
2013106766.tif 000045
【図４４】
2013106766.tif 000046